(57)【要約】【課題】装着性や携帯性を損なうことなく、多様な生体情報を測定・検出することができる生体情報測定装置を提供する。【解決手段】生体情報測定装置１は、断面視において、上底６Ａおよび該上底６Ａよりも短い下底６Ｂと、上底６Ａおよび下底６Ｂと略直交する第１の脚７Ａと、該第１の脚７Ａの対辺である第２の脚７Ｂとからなる台形状の形状を有するケース部１０と、第２の脚７Ｂ側に配置される表示部５０と、ケース部１０に格納されるメイン回路基板７０、および、メイン回路基板７０と表示部５０とを電気的に接続するフレキシブル基板８０と、第１の脚７Ａ側に配置されユーザーの脈波信号を検出する脈波センサー部５と、を含み、フレキシブル基板８０は下底６Ｂ側に配置されていることを特徴とする。【選択図】図２
2016131733.tif 000002
【特許請求の範囲】
【請求項１】
断面視において、上底および該上底よりも短い下底と、前記上底および前記下底と交差する第１の脚と、該第１の脚の対辺である第２の脚とからなる台形状の形状を有するケース部と、
前記第２の脚側に配置される表示部と、
前記ケース部に格納される回路基板、および、該回路基板と前記表示部とを電気的に接続するフレキシブル基板と、
前記第１の脚側に配置されユーザーの脈波信号を検出する脈波センサーと、を含み、
前記フレキシブル基板は、前記下底側に配置されていることを特徴とする生体情報測定装置。
【請求項２】
請求項１に記載の生体情報測定装置において、
前記第１の脚と、前記上底および前記下底とは、略直交して交差していることを特徴とする生体情報測定装置。
【請求項３】
請求項１または２に記載の生体情報測定装置において、
前記上底と前記下底とは平行に配置されていることを特徴とする生体情報測定装置。
【請求項４】
請求項１〜３のいずれか一項に記載の生体情報測定装置において、
前記脈波センサーは、前記ケース部の前記第１の脚側の面において前記ケース部の重心を含む領域に配置されることを特徴とする生体情報測定装置。
【請求項５】
請求項１〜４のいずれか一項に記載の生体情報測定装置において、
前記脈波センサーは、前記ケース部の前記第１の脚側の面に設けられ、前記ユーザーの体側に突出するセンサー凸部に配置されていることを特徴とする生体情報測定装置。
【請求項６】
請求項１〜５のいずれか一項に記載の生体情報測定装置において、
断面視で前記ケース部の前記第１の脚側に格納される振動モーターを備え、
前記振動モーターは、前記第１の脚側の面の中心よりも前記上底側に配置されていることを特徴とする生体情報測定装置。
【請求項７】
請求項１〜６のいずれか一項に記載の生体情報測定装置において、
前記ケース部に格納される少なくとも一つの電池を備え、
前記電池は、前記第１の脚側の面の中心よりも前記上底側に該電池の重心を位置させて配置されていることを特徴とする生体情報測定装置。
【請求項８】
請求項１〜７のいずれか一項に記載の生体情報測定装置において、
前記ケース部を生体に固定するバンド部を備え、
前記バンド部は、前記上底側に接続される第１のバンドと、前記下底側に接続される第２のバンドと、前記第１のバンドおよび前記第２のバンドを接続する接続部と、を有することを特徴とする生体情報測定装置。
【請求項９】
請求項８に記載の生体情報測定装置において、
前記第１のバンドおよび前記第２のバンドの前記生体側の面と、前記ケース部の前記第１の脚側の面とが連続面を形成していることを特徴とする生体情報測定装置。
【請求項１０】
請求項１〜９のいずれか一項に記載の生体情報測定装置において、
前記ケース部の前記第１の脚側の面が曲面を有することを特徴とする生体情報測定装置。
【請求項１１】
請求項１〜１０のいずれか一項に記載の生体情報測定装置において、
前記ケース部を前記ユーザーの手首に装着したときに、前記下底側が前記ユーザーの体側に位置することを特徴とする生体情報測定装置。
【請求項１２】
請求項１〜１１のいずれか一項に記載の生体情報測定装置において、
前記ケース部には気圧を検出する気圧センサーが格納され、前記気圧センサーは、平面視において前記脈波センサーと重ならないように配置されていることを特徴とする生体情報測定装置。
【請求項１３】
請求項１２に記載の生体情報測定装置において、
前記気圧センサーと前記脈波センサーとは、前記回路基板の異なる面に各々配置されていることを特徴とする生体情報測定装置。
【請求項１４】
請求項１２に記載の生体情報測定装置において、
前記回路基板は、少なくとも前記気圧センサーを搭載するメイン回路基板と、該メイン回路基板とは別個の、前記脈波センサーを搭載するセンサー用回路基板と、を有することを特徴とする生体情報測定装置。
【請求項１５】
請求項１２に記載の生体情報測定装置において、
前記ケース部の前記センサー凸部の前記第２の脚側への延長方向の領域に、前記気圧センサーと外気とを連通する穴部が設けられていることを特徴とする生体情報測定装置。
【請求項１６】
請求項５に記載の生体情報測定装置において、
前記振動モーターは、前記回路基板の前記脈波センサーと同じ側の面に搭載されていることを特徴とする生体情報測定装置。
【請求項１７】
請求項１〜３のいずれか一項に記載の生体情報測定装置において、
前記ケース部に格納され、生体の温度を検出する温度センサーを備え、
前記温度センサーは、前記回路基板の前記脈波センサーと同じ側の面に搭載されていることを特徴とする生体情報測定装置。
【請求項１８】
請求項１〜１７のいずれか一項に記載の生体情報測定装置において、
前記ケース部は、測位衛星からの測位用信号に基づいて位置情報を算出する位置算出部と、前記測位用信号を取得する第１のアンテナと、を格納し、
前記第１のアンテナは、前記下底側に配置されていることを特徴とする生体情報測定装置。
【請求項１９】
請求項１〜１８のいずれか一項に記載の生体情報測定装置において、
前記ケース部は、外部機器との間で生体情報を通信する第２のアンテナを格納し、
前記第２のアンテナは、断面視で前記下底側に配置されていることを特徴とする生体情報測定装置。
【請求項２０】
請求項１９に記載の生体情報測定装置において、
前記第１のアンテナおよび前記第２のアンテナの少なくとも一方は、前記穴部の近傍に配置されていることを特徴とする生体情報測定装置。
【請求項２１】
請求項１〜２０のいずれか一項に記載の生体情報測定装置において、
前記ケース部には、慣性センサーまたは複数種類の慣性センサーを含む慣性センサー部が備えられ、前記慣性センサーまたは慣性センサー部は、平面視において、前記ケース部の重心を含む領域に配置されていることを特徴とする生体情報測定装置。
【請求項２２】
請求項２１に記載の生体情報測定装置において、
前記慣性センサーは、前記振動モーターと平面視で重ならないように配置されていることを特徴とする生体情報測定装置。
【請求項２３】
請求項１〜２２のいずれか一項に記載の生体情報測定装置において、
前記脈波センサーは、前記ユーザーの体に光を照射する光源と、前記ユーザーの体からの反射光を受光する受光素子と、を有する光電脈波センサーであり、
前記脈波センサーと前記生体が接触する面との間に遮光部材が配置され、前記遮光部材に、前記光源と前記生体が接触する面とを光学的に接続する第１の光導波路と、前記受光素子と前記生体が接触する面とを光学的に接続する第２の光導波路と、が設けられていることを特徴とする生体情報測定装置。
【発明の詳細な説明】
【技術分野】
【０００１】
本発明は、生体情報測定装置に関する。
【背景技術】
【０００２】
従来から、ユーザーの体に装着して生体情報を測定する携帯型の生体情報測定装置が知られて、装着性の改善などにより「ウェアラブル機器」として普及してきている。
例えば、特許文献１に、ユーザーの腕に装着した状態で、搭載された脈波センサーにより脈波を測定する腕時計タイプの生体情報測定装置が紹介されている。
また、特許文献２には、加速度センサーなどの慣性センサーを搭載し、ユーザーの腕や腰などに装着して、歩行やランニングなどの運動中におけるユーザーの移動距離や体動などを測定する腕時計タイプやベルトタイプの生体情報測定装置が紹介されている。
【先行技術文献】
【特許文献】
【０００３】
【特許文献１】特開２００５−１８５６３１号公報
【特許文献２】国際公開第２０１０／０８９８２８号
【発明の概要】
【発明が解決しようとする課題】
【０００４】
昨今の健康に対する意識の高まりなどに伴って、ウェアラブル機器には、複数のセンサーを搭載し、より多様な生体情報や位置情報などを測定・検出可能であり、且つ、装着性に優れフィット感の高いウェアラブル機器の要求が高まってきている。
しかしながら、多様な測定・検出機能を付与しようとすると、搭載する部品点数が多くなって装置が大型化し、装着性や携帯性が損なわれる虞があるという課題があった。さらに、多機能化が進むと電力の消費が大きくなるために、十分な期間に渡って測定することが難しいという課題があった。
【課題を解決するための手段】
【０００５】
本発明は、上述の課題の少なくとも一部を解決することを目的としたものであり、装着性や携帯性を損なうことなく、多様な生体情報を測定・検出することができる生体情報測定装置を提供することを目的とする。
【０００６】
［適用例１］  本適用例にかかる生体情報測定装置は、断面視において、上底および該上底よりも短い下底と、前記上底および前記下底と交差する第１の脚と、該第１の脚の対辺である第２の脚とからなる台形状の形状を有するケース部と、前記第２の脚側に配置される表示部と、前記ケース部に格納される回路基板、および、該回路基板と前記表示部とを電気的に接続するフレキシブル基板と、前記第１の脚側に配置されユーザーの脈波信号を検出する脈波センサーと、を含み、前記フレキシブル基板は、前記下底側に配置されていることを特徴とする。
なお、本適用例において、前記第１の脚と、前記上底および前記下底とは、略直交して交差していることが好ましい。
また、上記上底と上記下底とは平行に配置されていることが好ましい。
【０００７】
断面が台形状の形状を有する本適用例のケース部において、台形の４辺のうち、互いに平行な対辺である「底辺」のうちの一方の底辺を「上底」とし、その上底よりも短い他方の底辺を「下底」とする。また、底辺とは異なる対辺である「脚」のうち、一方の「第１の脚」は上底および下底と略直交している。即ち、他方の脚である「第２の脚」は、第１の脚の一端から略直交して延びる「上底」の端部と、第１の脚の他端から直交して延びる「下底」の端部とを結んだ斜辺を形成する。
本適用例によれば、断面視において台形状のケース部の斜辺を形成する第２の脚側に表示部を配置し、第２の脚の対辺である第１の脚側に脈波センサーを配置し、表示部と脈波センサーとの間の領域に回路基板を配置しているので、ケース部内の収容スペースを効率よく利用できるとともに、フレキシブル基板の接続長さが短くて済む。
したがって、ケース部内の部品収容スペースの効率化、および、部品の小型化が実現できることにより、小型で軽量な生体情報測定装置を提供することができる。
【０００８】
［適用例２］  上記適用例にかかる生体情報測定装置において、前記脈波センサーは、前記ケース部の前記第１の脚側の面において前記ケース部の重心を含む領域に配置されることを特徴とする。
【０００９】
本適用例によれば、ユーザーの体に対する脈波センサーの接触位置や接触状態が安定するので、ユーザーの脈波信号の検出精度を向上させることができる。
【００１０】
［適用例３］  上記適用例にかかる生体情報測定装置において、前記脈波センサーは、前記ケース部の前記第１の脚側の面に設けられ、ユーザーの体側に突出するセンサー凸部に配置されていることを特徴とする。
【００１１】
本適用例によれば、ユーザーの体側に突出するセンサー凸部に脈波センサーが配置されているので、ユーザーの体に対する脈波センサーの接触状態がさらに安定し、ユーザーの脈波信号の検出精度をより向上させることができる。
【００１２】
［適用例４］  上記適用例にかかる生体情報測定装置において、断面視で前記ケース部の前記第１の脚側に格納される振動モーターを備え、前記振動モーターは、前記第１の脚側の面の中心よりも前記上底側に配置されていることを特徴とする。
【００１３】
本適用例によれば、ケース部内において下底側の空間よりも大きい上底側の空間に、比較的大きな部品である振動モーターをスペース効率よく配置することができる。また、駆動時に振動を生じる振動モーターを表示部から離して配置できるので、振動モーターの振動が継続的に加えられることによる表示部の経時劣化を抑えることができる。
【００１４】
［適用例５］  上記適用例にかかる生体情報測定装置において、前記ケース部に格納される少なくとも一つの電池を備え、前記電池は、前記第１の脚側の面の中心よりも前記上底側に該電池の重心を位置させて配置されていることを特徴とする。
【００１５】
本適用例によれば、ケース部内において下底側の空間よりも大きな上底側の空間に、生体情報測定装置において特に大きく重い部品である電池を、レイアウトの自由度を上げて配置させることができる。
【００１６】
［適用例６］  上記適用例にかかる生体情報測定装置において、前記ケース部を生体に固定するバンド部を備え、前記バンド部は、前記上底側に接続される第１のバンドと、前記下底側に接続される第２のバンドと、前記第１のバンドおよび前記第２のバンドを接続する接続部と、を有することを特徴とする。
【００１７】
本適用例によれば、第１のバンドと第２のバンドとを接続部により接続することによって、生体情報測定装置のケース部を、ユーザーの体に良好な装着感にて装着することができ、さらに、容易に生体情報測定装置の着脱を行うことができる。
【００１８】
［適用例７］  上記適用例にかかる生体情報測定装置において、前記第１のバンドおよび前記第２のバンドの前記生体側の面と、前記ケース部の前記第１の脚側の面とが連続面を形成していることを特徴とする。
【００１９】
本適用例によれば、ケース部の第１の脚側の面、即ち生体側の面と、第１のバンドおよび第２のバンドの生体側の面とが連続していることから、第１のバンドおよび第２のバンドを含むバンド部により生体情報測定装置のケース部をユーザーの体に装着したときに良好な装着性が得られる。
【００２０】
［適用例８］  上記適用例にかかる生体情報測定装置において、前記ケース部の前記第１の脚側の面が曲面を有することが好ましい。
【００２１】
本適用例によれば、ケース部の第１の脚側の面、即ち生体側の面が装着するユーザーの体に沿うような曲面を有しており、その曲面を有する生体側の面と、第１のバンドおよび第２のバンドの生体側の面とが連続しているので、バンド部により生体情報測定装置のケース部をユーザーの体に装着したときにより良好な装着性（フィット感）が得られる。
【００２２】
［適用例９］  上記適用例にかかる生体情報測定装置において、前記ケース部を前記ユーザーの手首に装着したときに、前記下底側が前記ユーザーの体側に位置することを特徴とする。
【００２３】
本適用例によれば、断面視でケース部の下底側となる方向をユーザーの体に向けて手首に装着しているので、表示部の表示面が上底側から下底側に低くなる斜面となることから、ユーザーが表示部を視認しやすいという効果を奏する。
【００２４】
［適用例１０］  上記適用例にかかる生体情報測定装置において、前記ケース部には気圧を検出する気圧センサーが格納され、前記気圧センサーは、平面視において前記脈波センサーと重ならないように配置されていることを特徴とする。
【００２５】
生体情報測定装置に搭載される脈波センサーとしては、例えば、生体に光を照射する光源と、生体からの反射光を受光する受光素子とを有する光電脈波センサーを好適に用いることができる。本適用例によれば、脈波センサーと平面視で重ならないように気圧センサーが配置されるので、脈波センサーの発光部の熱による空気の流れの変動などの影響を受け難くなり、気圧センサーによる気圧の測定をより正確に行うことができる。また、気圧センサーは気圧を測定するためにケース部外部の空気を導入するための穴が必要であるため、ケース部の気圧センサーの近傍には通気口が必須となるが、脈拍計のそばに気圧センサーを配置すると、通気口から外光がケース内部に侵入し、脈波センサーの測定に悪影響を及ぼす虞がある。これに対して、本適用例の構成とすることにより、脈拍センサーへの外光の侵入を防ぐことができるので、脈波センサーの測定精度が安定する効果が得られる。
【００２６】
［適用例１１］  上記適用例にかかる生体情報測定装置において、前記気圧センサーと前記脈波センサーとは、前記回路基板の異なる面に各々配置されていることを特徴とする。
【００２７】
本適用例によれば、気圧センサーと脈波センサーとを、同じ回路基板の異なる面に配置するので、部品点数を少なくでき、生体情報測定装置の小型化・薄型化を図ることができる。また、脈波センサーの測定への悪影響を抑制する効果が得られる。
【００２８】
［適用例１２］  上記適用例にかかる生体情報測定装置において、前記回路基板は、少なくとも前記気圧センサーを搭載するメイン回路基板と、該メイン回路基板とは別個の、前記脈波センサーを搭載するセンサー用回路基板と、を有することを特徴とする。
【００２９】
本適用例によれば、少なくとも気圧センサーを搭載するメイン回路基板と、脈波センサーを搭載するセンサー用回路基板とを別個に有しているので、ケース部における脈波センサーや気圧センサーなどの検出部のレイアウトの自由度を上げることができる。
【００３０】
［適用例１３］  上記適用例にかかる生体情報測定装置において、前記ケース部の前記センサー凸部の前記第２の脚側への延長方向の領域に、前記気圧センサーと外気とを連通する穴部が設けられていることを特徴とする。
【００３１】
生体情報測定装置のケース部に気圧センサーを格納した構成では、気圧センサーが格納されたケース部内の空間と外気とを連通する穴部をケース部に設ける必要がある。本適用例によれば、気圧センサー用の穴部が、ケース部の、センサー凸部の第２の脚側への延長方向の領域に設けられる。これにより、ユーザーの体に装着したケース部に応力が加わった場合に、センサー凸部が形成するリブ構造により応力に対する耐久性が増すので、ケース部に穴部を設けることによる強度の劣化の影響を小さくすることができる。
【００３２】
［適用例１４］  上記適用例にかかる生体情報測定装置において、前記振動モーターは、前記回路基板の前記脈波センサーと同じ側の面に搭載されていることを特徴とする。
【００３３】
本適用例によれば、振動モーターが、回路基板において脈波センサーと同じ生体側の面に搭載されるので、振動モーターがケース部内にスペース効率よく配置されて小型化に寄与できるとともに、振動モーターの振動による情報の通知をユーザーに感知させやすくすることができる。
【００３４】
［適用例１５］  上記適用例にかかる生体情報測定装置において、前記ケース部に格納され、生体の温度を検出する温度センサーを備え、前記温度センサーは、前記回路基板の前記脈波センサーと同じ側の面に搭載されていることを特徴とする。
【００３５】
本適用例によれば、温度センサーが、回路基板において脈波センサーと同じ生体側の面に搭載されるので、温度センサーがケース部内にスペース効率よく配置されて小型化に寄与できるとともに、温度センサーによるユーザーの体温の測定をより確実に行うことができる。
【００３６】
［適用例１６］  上記適用例にかかる生体情報測定装置において、前記ケース部は、測位衛星からの測位用信号に基づいて位置情報を算出する位置算出部と、前記測位用信号を取得する第１のアンテナと、を格納し、前記第１のアンテナは、前記下底側に配置されていることを特徴とする。
【００３７】
本適用例の生体情報測定装置の装着状態として好適なのは、生体情報測定装置のケース部の下底側となる方向をユーザーの体に向けて手首に装着したときに、下底側がユーザーの体側に位置した状態である。本適用例によれば、生体情報測定装置を手首に装着したユーザーの姿勢の状態において、鉛直方向上方に第２のアンテナが位置することが多いので、第１のアンテナにより測位用の信号を好適に受信することができる。
【００３８】
［適用例１７］  上記適用例にかかる生体情報測定装置において、前記ケース部は、外部機器との間で生体情報を通信する第２のアンテナを格納し、前記第２のアンテナは、断面視で前記下底側に配置されていることを特徴とする。
【００３９】
本適用例によれば、生体情報測定装置を手首に装着したユーザーの姿勢の状態において、鉛直方向上方に第２のアンテナが位置することが多いので、ユーザーが生体情報測定装置を手首に装着したまま第２のアンテナを用いて通信したときに、良好な通信を行うことができる。
【００４０】
［適用例１８］  上記適用例にかかる生体情報測定装置において、前記第１のアンテナおよび前記第２のアンテナの少なくとも一方は、前記穴部の近傍に配置されていることを特徴とする。
【００４１】
本適用例によれば、第１のアンテナおよび第２のアンテナの少なくとも一方を用いた外部との通信において、ケース部の外壁を介した通信よりも信号の送受信の感度が向上するので、良好な通信を行うことができる。
【００４２】
［適用例１９］  上記適用例にかかる生体情報測定装置において、前記ケース部には、慣性センサーまたは複数種類の慣性センサーを含む慣性センサー部が備えられ、前記慣性センサーまたは慣性センサー部は、平面視において、前記ケース部の重心を含む領域に配置されていることを特徴とする。
【００４３】
本適用例によれば、例えば、加速度センサーや角速度センサー（ジャイロセンサー）など複数種類の慣性センサーを含む慣性センサー部、または、１つの慣性センサーが、平面視において装置の端部近傍に配置された場合よりも、姿勢が安定する位置に配置されるので、慣性センサーによる測定精度を向上させることができる。
【００４４】
［適用例２０］  上記適用例にかかる生体情報測定装置において、前記慣性センサーは、前記振動モーターと平面視で重ならないように配置されていることを特徴とする。
【００４５】
本適用例によれば、加速度センサーや角速度センサーなどの慣性センサーが、振動モーターと平面視で重ならない位置に配置されるので、慣性センサーが振動モーターのノイズの影響を受け難くなり、慣性センサーにより安定した慣性の測定を行うことができる。
【００４６】
［適用例２１］  上記適用例にかかる生体情報測定装置において、前記脈波センサーは、前記ユーザーの体に光を照射する光源と、前記ユーザーの体からの反射光を受光する受光素子と、を有する光電脈波センサーであり、前記脈波センサーと前記生体が接触する面との間に遮光部材が配置され、前記遮光部材に、前記光源と前記生体が接触する面とを光学的に接続する第１の光導波路と、前記受光素子と前記生体が接触する面とを光学的に接続する第２の光導波路と、が設けられていることを特徴とする。
【００４７】
本適用例によれば、光源と生体が接触する面とを光学的に接続する第１の光導波路と、受光素子と生体が接触する面とを光学的に接続する第２の光導波路とが、遮光部材を介して配置される。これにより、光源から生体に照射する照射光と、生体から受光素子に受光される反射光とが、遮光部材により光学的に遮断されるので、光源からの照射光を生体に効率よく照射できるとともに、その照射光に基づく生体からの反射光を受光素子により効率よく受光することができる。
したがって、より正確な脈波検出を実現する脈波センサーを備えた生体情報測定装置を提供することができる。
【図面の簡単な説明】
【００４８】
【図１】（ａ）は、実施形態１に係る生体情報測定装置を生体に装着した装着状態を示す説明図。（ｂ）は、生体情報測定装置を生体から取り外した開放状態を示す斜視図。
【図２】（ａ）は、実施形態１に係る生体情報測定装置の概略構成を示すものであり図１（ｂ）のＡ−Ａ線断面図、（ｂ）は、（ａ）と同じ方向からみた外観を示す側面図。
【図３】脈波センサー部の概略構成、および測定原理を模式的に示す部分断面図。
【図４】（ａ）は、メイン回路基板の一方の面の構成を模式的に示す概略平面図、（ｂ）は、メイン回路基板の他方の面の構成を模式的に示す概略平面図。
【図５】（ａ）〜（ｃ）は、ケース部内のレイアウト構成のバリエーションを各々示す模式断面図。
【図６】実施形態２に係る生体情報測定装置の概略構成を示す断面図。
【図７】実施形態３に係る脈波センサー部の概略構成を模式的に示す部分断面図。
【図８】実施形態４に係る生体情報測定装置の概略構成を示す断面図。
【図９】実施形態５に係る生体情報測定機器の従来例を示す断面図。
【図１０】実施形態５に係る生体情報測定機器を示す斜視図。
【図１１】実施形態６に係る生体情報測定機器を示す正面図。
【図１２】実施形態７に係る生体情報測定機器を示す斜視図。
【図１３】実施形態８に係る生体情報測定機器を示す断面図。
【図１４】実施形態９の生体情報測定機器におけるヘルスマネージャーの起点となるウェブページの概略を示す図。
【図１５】栄養ウェブページの一例を示す図。
【図１６】活動レベルウェブページの一例を示す図。
【図１７】精神集中ウェブページの一例を示す図。
【図１８】睡眠ウェブページの一例を示す図。
【図１９】毎日の活動ウェブページの一例を示す図。
【図２０】健康度ウェブページの一例を示す図。
【発明を実施するための形態】
【００４９】
以下、本発明の実施形態について、図面を参照して説明する。なお、以下の各図においては、各層や各部材を認識可能な程度の大きさにするため、各層や各部材について実際とは異なる尺度で示している場合がある。
【００５０】
（実施形態１）
図１（ａ）は、実施形態１に係る生体情報測定装置を生体に装着した装着状態を示す説明図である。また、図１（ｂ）は、生体情報測定装置を生体から取り外した開放状態を示す斜視図である。
まず、実施形態１に係る生体情報測定装置１の概略構成について説明する。
【００５１】
図１において、実施形態１に係る生体情報測定装置（以下では、測定装置ともいう）は、生体情報が測定される生体（例えば人体）に装着され、脈拍、およびその他の生体情報を測定する電子機器である。実施形態１の測定装置１は、腕時計のようにユーザー（生体）の測定部位に装着され使用される。
【００５２】
本明細書では、測定装置１の正面の法線方向を、図１（ａ）における手前側を正とするＺ軸方向とする。なお、Ｚ軸方向の定義の詳細については後述する。測定装置１の正面とは、表示部５０が配置された面を指す。また、Ｚ軸方向と交差する方向であって、腕ＡＲの長さ方向を、指がある先端側を正とするＸ軸方向とする。そして、Ｚ軸方向及びＸ軸方向と交差する方向であって、腕ＡＲの幅方向を、小指側を正とするＹ軸方向とする。
【００５３】
また、本明細書では、測定装置１を正面の法線方向（Ｚ軸方向）から見ることを「正面視」という。また、測定装置１をＸ軸方向から見ることを「側面視」という。また、測定装置１が手首ＷＲに装着された状態で、生体側、すなわち手首ＷＲに面する側を「内側」または「内面」といい、生体とは反対側、すなわち手首ＷＲに面する側の反対側を「外側」または「外面」という。なお、上記した「側面視」と同じ方向からみた測定装置１の断面、即ち、図１（ｂ）のＡ−Ａ線断面を見ることを「断面視」といい、本明細書では特に重要な図示方向であり、以下、度々詳述する場面がある。
【００５４】
図１（ｂ）に示すように、測定装置１は、装置本体であるケース部１０と、ケース部１０を手首ＷＲに固定する第１のバンド２２および第２のバンド２４を有するバンド部２０と、バンド部２０の第１のバンド２２と第２のバンド２４とを接続する接続部としてのバックル部３０と、を備えている。
【００５５】
ケース部１０の正面側には、生体情報測定結果や時刻などを文字やグラフィックス等として表示する表示部（モニター部（ディスプレイ））５０が備えられている。測定装置１は、測定装置１の正面とは反対側の底面（検出部）を手首ＷＲに密着させた状態で生体情報を測定する。そして、測定結果や、測定結果に基づいた生体情報の評価結果等を表示部５０に表示する。
【００５６】
バンド部２０は、ケース部１０の一方（詳細は後述する「上底」６Ａ側）から第１のバンド２２が延出され、ケース部１０の他方（詳細は後述する「下底」６Ｂ側）から第２のバンド２４が延出され、第１のバンド２２と第２のバンド２４との先端側同士がバックル部３０により連結されている。本実施形態のバックル部３０は、２枚の金属製のプレートを回動軸で繋いだ蝶番状の部材で、２枚のプレートを重ねて折り畳むと長さが短くなり、並べて伸ばすと長くなる構造となっている。つまり、測定装置１は、生体情報を検出する検出部を有するケース部１０と、ケース部１０を生体に固定するためのバンド部２０と、バンド部２０と環状に接続するとともに、長さを調整可能なバックル部３０とを備えている。
【００５７】
このように、バンド部２０の両端部（第１のバンド２２および第２のバンド２４の末端部同士）がバックル部３０により連結されることにより、測定装置１は、図１（ａ）に示す手首ＷＲに装着された状態（以下では、装着状態という）、及び、図１（ｂ）に示す手首ＷＲから取り外された状態（以下では、開放状態という）の双方の状態において環状となっている。
この構成により、測定装置１を装着する際には、バックル部３０を伸ばした状態として、図１（ｂ）に示す環状の大きな開口部に、手をすぼめて挿入した後、腕の装着位置でバックル部３０を折畳んで短くすることにより、図１（ａ）に示すように、測定装置１を装着することができる。特に、バンド部２０の構成や材質、環状の開口部サイズの最適化などの様々な創意工夫を施すことにより、測定装置１の着脱を繰り返しても、後述する脈波センサー部５などの検出部が腕の検出位置に正確に、かつ、略同等の押圧（押し付け力）で固定可能な構成を実現している。
なお、本実施形態では、バンド部２０と折り畳み型のバックル部３０とにより装着するタイプについて説明したが、バンド部の一端側に尾錠とツク棒を有し、他端部側のバンド部のステッチに小穴を設けて、他端側のステッチを尾錠に通して小穴にツク棒を挿し込んで固定するタイプのバンドおよび接続部を用いる構成としてもよい。
【００５８】
続いて、生体情報測定装置１の構成の詳細について図面に沿って説明する。図２は、実施形態１に係る生体情報測定装置の概略構成を示すものであり、（ａ）は、図１（ｂ）のＡ−Ａ線断面図、（ｂ）は、（ａ）と同じ方向からみた外観を示す側面図である。
図２（ａ）に示すように、本実施形態の生体情報測定装置１において、ケース部１０は、断面視において台形状の形状を有している。台形においては、互いに平行な対辺を「底辺」と呼び、この底辺のうちの一方を「上底」、他方を「下底」と呼び、また、底辺と異なるもう一方の対辺を台形の「脚」と呼ぶ。断面視で台形状の形状を有する本実施形態のケース部１０においては、底辺のうちの一方の辺（長い方の辺）である上底６Ａと、上底６Ａよりも短い他方の辺である下底６Ｂと、台形の脚のうち、上底６Ａおよび下底６Ｂと略直交する一方の脚である第１の脚７Ａと、第１の脚７Ａの対辺（他方の脚）である第２の脚７Ｂと、を有している。第２の脚７Ｂは、断面視で台形状の形状を有するケース部１０において、第１の脚７Ａの一端から略直交する方向に延びる長い方の上底６Ａの端部と、第１の脚７Ａの他端から略直交する方向に延びる短い方の下底６Ｂの端部とを結んだ斜辺を形成する。換言すると、上底６Ａと下底６Ｂとは略平行に配置され、第１の脚７Ａと第２の脚７Ｂとは、平行に配置されておらず、所定の角度をなすように配置されている。あるいは、断面視において上底６Ａと第１の脚７Ａとが成す角度は、上底６Ａと第２の脚７Ｂとがなす角度よりも大きく、下底６Ｂと第１の脚７Ａとが成す角度は、下底６Ｂと第２の脚７Ｂとがなす角度よりも小さいということができる。さらに、第２の脚７Ｂと上底６Ａとの成す角度は、第２の脚７Ｂと下底６Ｂとの成す角度よりも小さいということもできる。このように左右非対称な断面構造、あるいはケースの中心に対して非対称な容積を有する構造とすることで、設計自由度やデザイン性、および視認性を確保することができる。なお、ケース部１０は、例えば、ポリカーボネイト（ＰＣ）、ポリスチレン（ＰＳ）、ＡＢＳ樹脂等の樹脂材料からなる。
【００５９】
上記のように斜辺を形成する第２の脚７Ｂ側の面に配置された表示部５０は、生体情報測定装置１の第１の脚７Ａ側の面をユーザーの手首の皮膚（生体）に直接または間接的に接触させて装着した時に、その表示面が斜面を形成する。図１に示すように、本実施形態の生体情報測定装置１においては、ケース部１０の下底６Ｂ側がユーザーの体側に位置する向きに装着される。これにより、表示部５０の表示面が上底６Ａ側から下底６Ｂ側（ユーザーの体側）に向けて低くなる斜面を形成するので、ユーザーが表示部５０の表示を視認しやすい効果を奏する。なお、上述したように、本明細書では、測定装置１の正面の法線方向を、図１（ａ）における手前側を正とするＺ方向とするが、上記のとおり、測定装置１において表示部５０は傾斜しているので、ケース部１０の断面視において、第１の脚７Ａ側の面の法線をＺ軸として定義してもよい。
【００６０】
図２（ａ）に戻り、ケース部１０において、断面視で第１の脚７Ａ側には、表示部５０の駆動回路を含む生体情報測定装置１の主な駆動・制御回路や後述する生体情報検出部などを搭載したメイン回路基板７０が配置されている。このメイン回路基板７０の詳細な構成については後述する。メイン回路基板７０と表示部５０とは、下底６Ｂ側でフレキシブル基板（以下、ＦＰＣ（Flexible Printed Circuit）と記す）８０により電気的に接続されている。メイン回路基板７０と表示部５０との間の長さは、上底６Ａ側よりも下底６Ｂ側の方が短いので、ＦＰＣ８０によるメイン回路基板７０と表示部５０との接続長さが短くて済み、部品（ＦＰＣ８０）の小型化が図れるため、生体情報測定装置１の小型化に有利になる。
【００６１】
ケース部１０の第１の脚７Ａ側、即ちユーザーの生体側（手首側）には、生体情報としての脈波を検出する脈波センサー部５が配置されている。本実施形態では、ケース部１０の第１の脚７Ａ側の面に、ユーザーの生体側に突出するセンサー凸部６５が形成されており、このセンサー凸部６５の内部空間に配置されたセンサー用回路基板７５に脈波センサー部５が搭載されている。センサー用回路基板７５は、例えばＦＰＣなどの中継基板８５を介してメイン回路基板７０と電気的に接続されている。センサー凸部６５は、ケース部１０と一体で形成されたリブとすることもできる。このように、脈波センサー部５が、ユーザーの生体側に突出するセンサー凸部６５に配置されていることにより、ユーザーの体に対する脈波センサーの接触状態が安定し、脈波信号の検出精度を向上させる効果を奏する。また、脈波センサー部５は、ケース部１０の第１の脚７Ａ側の面においてケース部１０の重心１０Ｇを含む領域に配置されている。この構成により、ユーザーの生体（手首）に対する脈波センサー部５の接触位置や接触状態が安定し、脈波信号の検出精度を向上させることができる。また、本実施形態の生体情報測定装置１では、主な駆動・制御回路や後述する各種の検出部を搭載したメイン回路基板７０とは別個に、脈波センサー部５を搭載するセンサー用回路基板７５が備えられている。これにより、小型化が要求される生体情報測定装置１において、ケース部１０における脈波センサー部５やその他の各種検出部のレイアウトの自由度の向上を実現することができる。
【００６２】
ここで、脈波センサー部５の構成、および測定原理について説明する。図３は、脈波センサー部５の概略構成、および測定原理を模式的に示す部分断面図である。図３において、脈波センサー部５は、センサー凸部６５内に配置されたセンサー用回路基板７５、および、センサー用回路基板７５のユーザーの生体（手首の皮膚１０００）側の面に搭載された光源としての発光素子６１，６３（通常ＬＥＤ（Light Emitting Diode）が用いられる）と、受光素子６２（通常フォトダイオードが用いられる）とを有する光電脈波センサーである。センサー凸部６５内部において、発光素子６１，６３と、受光素子６２とは、遮光部材６７により遮光されており、発光素子６１および受光素子６２の皮膚１０００側の窓部６８は透光性を有している。窓部６８は透明な凸レンズ状の部材であり、透明樹脂が好適に用いられる。脈波センサー部５の発光素子６１，６３から窓部６８を通過してユーザーの皮膚（生体）１０００に照射された光は、皮膚１０００下の血管１００２を流れる血液によって一部が吸収されるが、残りの光は反射されて皮膚１０００から外に出る。そして、生体で反射された光は受光素子６２によって補足され、受光信号として中継基板８５を介してメイン回路基板７０（図２を参照）に出力される。受光素子６２からの受光信号は、血管を流れる血液量に相当する情報を含む信号である。血管を流れる血液量は、心臓の脈動によって変化するので、受光素子６２上の信号は心臓の拍動に対応して変化する。つまり、受光素子６２の信号の変化は、心拍数のパルスに相当するものである。そして、単位時間当たり（例えば１０秒当たり）のパルス数を係数することによって、心臓が１分間に打つ心拍数が得られる。
【００６３】
図２に戻り、センサー凸部６５内に配置された脈波センサー部５を備えるケース部１０は、ケース部１０の上底６Ａ側に接続された第１のバンド２２およびケース部１０の下底６Ｂ側に接続された第２のバンド２４を含むバンド部２０によりユーザーの手首に装着される。つまり、バンド部２０は、図２（ｂ）に示す側面視において、ケース部１０の重心１０Ｇを含む領域（略中央の領域）に配置されたセンサー凸部６５を頂部として、その両側（紙面における左右）に第１のバンド２２と第２のバンド２４とが垂れ下がる逆Ｕ字状の形状を呈している（図１（ｂ）を併せて参照のこと）。ここで、第１のバンド２２の生体側（第１の脚７Ａ側）の面とケース部１０の生体側の面、および、第２のバンド２４の生体側の面とケース部１０の生体側の面とが、各々の境界部分２２ａ，２４ａにおいて滑らかに連続している。これにより、第１のバンド２２および第２のバンド２４を含むバンド部２０により、生体情報測定装置１のケース部１０をユーザーの体に装着したときに良好な装着性が得られ、ユーザーの生体に対する脈波センサー部５の位置や接触状態が安定することから正確な脈波測定結果を得ることができる。
【００６４】
なお、バンド部２０の材料としては、例えば、シリコーンゴム、天然ゴム、イソプレンゴム、ブタジエンゴム、スチレン・ブタジエンゴム、クロロプレンゴム、ニトリルゴム、ポリイソブチレン、エチレンプロピレンゴム、クロロスルホン化ポリエチレンゴム、アクリルゴム、フッ素ゴム、エピクロルヒドリンゴム、ウレタンゴム、スチレン系エラストマー、オレフィン系エラストマー、塩ビ系エラストマー、ポリエステル系エラストマー、ポリウレタン系エラストマー、シリコーン系エラストマー、アミド系エラストマー、ナイロン系エラストマー、動的架橋型エラストマー等、または、これらをブレンドしたものを用いることができる。バンド部２０は、手首ＷＲに対して適度な締め付け力が得られるような弾性力と良好な耐久性とを有し、肌に優しい（皮膚に対する刺激の少ない）ことが望ましい。このような特性を有する材料として、シリコーンゴムを好適に用いることができる。
【００６５】
ケース部１０内には、生体情報測定装置１の電源である電池１２０が格納されている。本実施形態では、一つの電池１２０が、表示部５０とメイン回路基板７０との間に、断面視でケース部１０の第１の脚７Ａ側の面の重心１０Ｇよりも上底６Ａ側に電池１２０の重心１２０Ｇを位置させて配置されている。この構成により、下底６Ｂ側の大きさに依存することなく、容量の大きな電池を採用することができる。また、ケース部１０内において下底側の空間よりも大きな上底側の空間に、生体情報測定装置において特に大きく重い部品である電池を配置できるので、レイアウトの自由度を上げることができるとともに、ケース部１０の重量バランスを安定させる効果を奏する。
【００６６】
続いて、上述の脈波センサー部５の他に、本実施形態の生体情報測定装置１が備える各種の検出部（測定部）について説明する。図４は、各種の検出部などが搭載されたメイン回路基板７０を模式的に示すものであって、（ａ）は、メイン回路基板７０の一方の面の構成を示す概略平面図であり、（ｂ）は、メイン回路基板７０の他方の面の構成を示す概略平面図である。
【００６７】
図４（ａ）に示すメイン回路基板７０の一方の面は、図２における脈波センサー部５側、即ち、ユーザーの生体側（第１の脚７Ａ側）の面である。このメイン回路基板７０の一方の面（下面）には、振動モーター１１０、および温度センサー１６０が搭載されている。
【００６８】
振動モーター１１０は、生体情報測定装置１による生体情報等の測定結果に基づくユーザーの状態の判定結果などの情報を振動によりユーザーに伝達する。この振動モーター１１０は、図２（ａ）に示すように、ケース部１０の第１の脚７Ａ側の面の中心（図中、重心１０Ｇ）よりも上底６Ａ側に配置されている。この構成により、ケース部１０内において下底６Ｂ側の空間よりも大きい上底６Ａ側の空間に、比較的大きな部品である振動モーター１１０を効率的に配置することができる。また、下底６Ｂ側に振動モーター１１０を配置した場合よりも、駆動時に振動を生じる振動モーター１１０を表示部５０から離して配置できるので、表示部５０の経時劣化を抑えることができる。さらに、本実施形態では、振動モーター１１０が、メイン回路基板７０の脈波センサー部５と同じ生体側の面に配置されている。これにより、振動モーター１１０の振動による情報の通知をユーザーに感知させやすくすることができる。
【００６９】
温度センサー１６０は、ユーザー（生体）の温度、即ち体温を検出する。このように、温度センサー１６０が、メイン回路基板７０の脈波センサー部５と同じ生体側の面に配置されていることにより、温度センサー１６０によるユーザーの体温の測定をより確実に行うことができる。なお、温度センサー１６０は環境温度を測定することも可能である。
また、メイン回路基板７０の一方の面には、電池１２０（図２を参照）を充電するための充電端子部１５０が設けられている。
【００７０】
図４（ｂ）に示すメイン回路基板７０の他方の面は、図２における表示部５０側（第２の脚７Ｂ側、即ち表示部５０側）の面である。このメイン回路基板７０の他方の面（上面）には、検出部（測定部）としての慣性センサー部１３０、気圧センサー１４０、位置算出部としてのＧＰＳ（Global Positioning System）ユニット１７０が搭載されている。
【００７１】
慣性センサー部１３０は、少なくとも一つの慣性センサーを含んで構成される。本実施形態の慣性センサー部１３０は、加速度センサー１３１と、角速度センサー（ジャイロセンサー）１３２とを有している。加速度センサー１３１は、互いに交差する（理想的には直交する）３軸方向の各々の加速度を検出し、検出した３軸加速度の大きさ及び向きに応じたデジタル信号（加速度データ）を出力する。また、角速度センサー１３２は、互いに交差する（理想的には直交する）３軸方向の各々の角速度を検出し、計測した３軸角速度の大きさ及び向きに応じたデジタル信号（角速度データ）を出力する。
慣性センサー部１３０は、平面視においてケース部１０の重心１０Ｇを含む領域に配置されている。このように、加速度センサー１３１や角速度センサー１３２などを含む慣性センサー部がケース部１０の重心１０Ｇを含む領域に配置されることにより、ケース部１０（測定装置１）の端部近傍に配置された場合よりも姿勢が安定する位置に配置されるので、加速度センサー１３１や角速度センサー１３２などの慣性センサーによる慣性の測定精度が向上する効果を奏する。また、慣性センサー部１３０の加速度センサー１３１および角速度センサー１３２は、メイン回路基板７０の一方の面に配置された振動モーター１１０と平面視で重ならない位置に配置されている。このように、加速度センサー１３１や角速度センサー１３２などの慣性センサーが、振動モーター１１０と平面視で重ならない位置（離れた位置）に配置されるので、各慣性センサーが振動モーター１１０のノイズの影響を受け難くなり、加速度センサー１３１や角速度センサー１３２による安定した慣性の測定を行うことができる。
【００７２】
なお、慣性センサー部１３０の加速度センサー１３１や角速度センサー１３２からの信号は、生体情報を検出する際に、例えば脈波センサー部５により検出される脈波信号に重畳される体動ノイズの抑制処理においても用いることができる。
【００７３】
気圧センサー１４０は、生体情報測定装置１を装着したユーザーが居る空間の気圧を検出する。気圧センサー１４０は、脈波センサー部５と平面視で重ならないように配置されている。これにより、光電式の脈波センサー部５の発光部の熱による空気の流れの変動などの影響を受け難くなり、気圧センサー１４０による気圧の測定をより正確に行うことができる。また、本実施形態のように、気圧センサー１４０と、センサー用回路基板７５を含む脈波センサー部５とが、メイン回路基板７０の異なる面に配置されることにより、メイン回路基板７０のスペースを効率よく活用できるので、生体情報測定装置１の小型化・薄型化を図る効果を奏する。
【００７４】
図２（ｂ）に示すように、ケース部１０には、ケース部１０の内部空間と外気とを連通する穴部１４５が設けられ、気圧センサー１４０は、穴部１４５の近傍に配置される。この穴部１４５は、ケース部１０のセンサー凸部６５の第２の脚７Ｂ側への延長方向の領域に設けられている。これにより、ケース部１０のセンサー凸部６５の第２の脚７Ｂ側への延長方向の領域は、ケース部１０をユーザーの体に装着したときに加わる応力による変形が、センサー凸部６５により形成されるリブ構造により抑えられるので、ケース部１０に穴部１４５を設けることによる強度の劣化の影響を小さくすることができる。
【００７５】
ＧＰＳユニット１７０は、測位用衛星の一種であるＧＰＳ衛星から送信されるＧＰＳ衛星信号を受信し、当該ＧＰＳ衛星信号を利用して測位計算を行ってユーザーの位置及び速度（大きさと向きを含むベクトル）を算出し、これらに時刻情報や測位精度情報を付したＧＰＳデータを出力する。なお、ＧＰＳを利用して、位置や速度を算出する方法や時刻情報を生成する方法については公知であるため、詳細な説明を省略する。
メイン回路基板７０には、ＧＰＳユニット１７０に電気的に接続され、測位用衛星からの測位用信号を受信する第１のアンテナとしてのＧＰＳアンテナ１７５が配置されている。ＧＰＳアンテナ１７５は、ケース部１０において上述した下底６Ｂ側に配置されている。この構成によれば、ＧＰＳアンテナ１７５がメイン回路基板７０の上底６Ａ側に配置された場合よりも、ケース部１０の上方、即ち、第２の脚７Ｂ側（表示部５０）までの距離が短いため（図２（ａ）参照）、測位衛星からの測位用信号の受信感度が高くなり良好な測位が行える効果が得られる。なお、ＧＰＳアンテナ１７５は、フレキシブル基板８０の外側に印刷されていても良いし、メイン回路基板７０とは別体の基板に配置されていても良い。いずれの構成にしても、ＧＰＳアンテナ１７５は、ケース部１０において下底６Ｂ側に配置されていれば良い。
【００７６】
この他に、メイン回路基板７０の他方の面には、制御部２００、および通信部１８０が配置されている。制御部２００は、例えば、図示を省略するＣＰＵ、ＲＯＭ、ＲＡＭ等で構成され、これらのハードウェアとＲＯＭ等に記憶されたソフトウェアとが協働して生体情報測定装置１の動作を制御する。
通信部１８０は、生体情報測定装置１と、スマートフォンやパーソナルコンピューター等の外部機器との間で、例えばＢｌｕｅｔｏｏｔｈ（登録商標）等の公知の無線通信方式により、無線通信を行う。これにより、外部機器から測定装置１を操作することや、測定装置１で測定された生体情報を外部機器に送信して装着者の生体情報の蓄積及び管理をすることができる。測定装置１は、外部機器との連携により、測定した装着者の生体情報を蓄積しその情報に基づいて、例えば、生体情報の分析結果や運動量が適正であるか否か等の情報をユーザーに提供する機能を有している。メイン回路基板７０の他方の面には、通信部１８０に接続され、外部機器との間で生体情報等を通信する第２のアンテナ１８５が配置されている。本実施形態の第２のアンテナ１８５は、図２（ｂ）に示すように、ケース部１０の穴部１４５の近傍に配置されている。この構成によれば、第２のアンテナ１８５を用いた外部との通信において、ケース部１０の外壁を介した通信よりも信号の送受信の感度が向上するので、良好な通信を行うことができる。なお、穴部１４５の近傍にアンテナを配置することによる通信感度を向上させる効果は、上記第１のアンテナとしてのＧＰＳアンテナ１７５についても有効であることは言うまでもない。また、第２のアンテナ１８５は、上記のＧＰＳアンテナ１７５と同様に、ケース部１０の断面視において下底６Ｂ側のメイン回路基板７０上に配置されている構成としてよく、その場合、第２のアンテナ１８５とケース部１０の第２の脚７Ｂ側の面（表示部５０の表面）までの距離が短くなることによって良好な通信が行える効果を享受することができる。
【００７７】
以上述べたように、本実施形態に係る生体情報測定装置１によれば、種々の検出部が格納されるケース部１０は、断面視において、上底６Ａおよび該上底６Ａよりも短い下底６Ｂと、上底６Ａおよび下底６Ｂと略直交する第１の脚７Ａと、該第１の脚７Ａの対辺である第２の脚７Ｂとからなる台形状の形状を有している。このケース部１０にはメイン回路基板７０が格納され、また、ケース部１０の第２の脚７Ｂ側には表示部５０が配置され、これらメイン回路基板７０と表示部５０とが、下底６Ｂ側でＦＰＣ８０を介して電気的に接続され、ケース部１０内において比較的広い空間を形成する上底６Ａ側の空間に、比較的大きい検出部（検出装置）などの電子部品を配置した。
この構成によれば、ケース部１０内の空間を有効に活用して、スペース効率よく各種の電子部品等を配置することができる。また、メイン回路基板７０と表示部５０とを、接続長さが短くて済む下底６Ｂ側でＦＰＣ８０を介して電気的に接続する構成とした。これにより、ケース部１０内の収容スペースを効率よく利用できるとともに、ＦＰＣ８０による接続長さが短くて済む。したがって、ケース部１０内の部品収容スペースの効率化、および、部品の小型化が実現できることにより、小型で軽量な生体情報測定装置を提供することができる。
【００７８】
なお、本発明は上述した実施形態に限定されず、上述した実施形態に種々の変更や改良などを加えることが可能である。変形例を以下に述べる。
【００７９】
（変形例）
図５（ａ）〜（ｃ）は、実施形態１の変形例であって、生体情報測定装置のケース部内のレイアウト構成のバリエーションを各々示す模式断面図である。
上記実施形態１では、図２のように、生体情報測定装置１のケース部１０内の空間において、メイン回路基板７０と表示部５０との間に１つの電池１２０を配置している構成を説明したが、この構成に限定するものではない。以下、変形例に係る生体情報測定装置におけるケース部１０内のレイアウト構成のバリエーションについて説明する。なお、実施形態１と同一の構成部位については、同一符号を附し、重複する説明は省略する。
【００８０】
図５（ａ）に示す生体情報測定装置２０１Ａは、ケース部１０内のレイアウト構成の一つ目のバリエーションを示している。この生体情報測定装置２０１Ａは、ケース部１０内において、上記実施形態１と同じレイアウトで配置されたメイン回路基板７０の上方に、上記実施形態１と同じ仕様の電池１２０とともに、その電池１２０よりも小さいサイズの第２の電池１２１が配置されている。第２の電池１２１は、ケース部１０の断面視において、電池１２０上の上底６Ａ側に配置されている。この構成によれば、ケース部１０内において比較的広い上底６Ａ側の空間を活用して効率的なレイアウトを実現し、ケース部１０のサイズを増大させることなく上記実施形態１よりも電力の多い電源を確保することができる。
【００８１】
図５（ｂ）に示す生体情報測定装置２０１Ｂは、ケース部１０内のレイアウト構成の二つ目のバリエーションを示している。生体情報測定装置２０１Ｂは、ケース部１０内において、上記実施形態１と同じレイアウトで配置されたメイン回路基板７０、および、そのメイン回路基板７０の上方の上底６Ａ寄りの位置に配置された電池１２０が、メイン回路基板７０の下底６Ｂ側の辺の長さ方向を回動軸として、上底６Ａ側の辺を上方（表示部５０側）に回動させた状態で斜めに配置されている。本変形例では、メイン回路基板７０および電池１２０それぞれの主面が、ケース部１０において斜面を形成する表示部５０の表示面と略平行に配置されている。そして、上述のようにメイン回路基板７０を斜め配置したことにより形成されるメイン回路基板７０の上底６Ａ側の下方（第１の脚７Ａ側）の空間に、第２の電池１２１が配置されている。脈波センサー部５が搭載されたセンサー用回路基板７５と斜めに配置されたメイン回路基板７０とは、上記実施形態１の中継基板８５（図２を参照）よりも若干長さの長い中継基板８５´を介して、電気的に接続されている。
この構成によれば、ケース部１０内において比較的広い上底６Ａ側の空間を有効に活用して、ケース部１０のサイズを増大させることなく上記実施形態１よりも電力の多い電源を確保することができる。
【００８２】
図５（ｃ）は、ケース部１０内のレイアウト構成の三つ目のバリエーションによる生体情報測定装置２０１Ｃを示している。生体情報測定装置２０１Ｃは、ケース部１０内において第１の脚７Ａ側の上底６Ａ寄りに電池１２０が配置され、その電池１２０の上方（表示部５０側）にメイン回路基板７０が配置されている。そして、メイン回路基板７０上方の上底６Ａ側に形成される比較的広い空間に、上述した各種検出部（測定部）とは異なる生体情報等の検出部１９０を配置することができる。なお、検出部１９０の代わりに、第２の電池などを配置する構成とすることもできる。このような構成によっても、ケース部１０内において比較的広い上底６Ａ側の空間を有効に活用して、ケース部１０のサイズを増大させることなく、検出機能を新たに付与したり、電力の多い電源を確保したりすることができる。
【００８３】
以上述べた変形例の生体情報測定装置２０１Ａ〜２０１Ｃのように、本発明の生体情報測定装置は、ケース部１０の断面視で上底６Ａ側に形成される比較的広い空間を利用することにより、大きな電子部品などを、レイアウトの自由度を上げて配置させることができる。
【００８４】
（実施形態２）
図６は、実施形態２に係る生体情報測定装置の概略構成を示す断面図である。
本実施形態２に係る生体情報測定装置３０１について、図６を参照して説明する。なお、実施形態１と同一の構成部位については、同一符号を使用し、重複する説明は省略する。
【００８５】
上記実施形態１では、脈波センサー部５を、メイン回路基板７０とは別個のセンサー用回路基板７５に搭載し、センサー用回路基板７５とメイン回路基板７０とを中継基板８５により電気的に接続した構成（図２を参照）を説明したが、これに限定されるものではない。図６において、本実施形態２に係る生体情報測定装置３０１は、ケース部１０内の第１の脚７Ａ側にメイン回路基板７０が配置されている。そして、ケース部１０の第１の脚７Ａ側には、生体情報測定装置３０１をユーザーの手首に装着したときに生体側（手首側）に突出するセンサー凸部３６５が形成され、このセンサー凸部３６５内に、メイン回路基板７０の第１の脚７Ａ側の面に搭載された脈波センサー部３０５が配置されている。この構成により、脈波センサー部５専用のセンサー用回路基板が不要になり、部品点数が減らせるとともに、ケース部１０の薄型化が可能になる。
【００８６】
また、本実施形態２の生体情報測定装置３０１では、メイン回路基板７０において、振動モーター１１０、および温度センサー１６０が、脈波センサー部３０５と同じ第１の脚７Ａ側の面に搭載されている。この構成により、振動モーター１１０および温度センサー１６０が、ケース部１０内に脈波センサー部３０５とともにスペース効率よく配置されて小型化に寄与できるとともに、ユーザーの生体側に密着される脈波センサー部３０５（センサー凸部３６５）と同じ方向に振動モーター１１０が配置されているので、振動モーター１１０の振動による情報の通知をユーザーに確実に感知させることができ、また、温度センサー１６０がユーザーの体に対して良好に配置され安定した体温の測定を行うことができる。
なお、図示はしないが、メイン回路基板７０の第１の脚７Ａ側の面と、ケース部１０内の第１の脚７Ａ側の面（内底面）との間に支柱となる部材を配置して、メイン回路基板７０の姿勢を略水平にして支持する構成としてもよい。
【００８７】
（実施形態３）
図７は、実施形態３に係る脈波センサー部の概略構成を模式的に示す部分断面図である。
以下、生体情報測定装置の実施形態３に係る脈波センサー部４０５について、図７を参照して説明する。なお、上記実施形態と同一の構成部位については、同一符号を附し、重複する説明は省略する。
【００８８】
図７に示すように、実施形態３に係る脈波センサー部４０５は、センサー凸部６５内に配置されたセンサー用回路基板７５、および、センサー用回路基板７５のユーザーの生体（手首の皮膚１０００）側の面に搭載された発光素子（ＬＥＤ）６１，６３と、受光素子（フォトダイオード）６２とを有し、発光素子６１，６３と受光素子６２とは、遮光部材６７により遮光され、発光素子６１，６３および受光素子６２の皮膚１０００側には透明な凸レンズ状の窓部６８が配置されている。発光素子６１，６３と窓部６８との間には、各発光素子６１，６３の光を窓部６８と光学的に接続する第１の光導波路２６１と、窓部６８と受光素子６２とを光学的に接続する第２の光導波路２６２が形成されている。そして、第１の光導波路２６１、および第２の光導波路２６２には、光透過部材２６５が埋設されている。光透過部材２６５としては、例えば、光ファイバーが好適に用いられる。
この構成によれば、発光素子６１，６３と生体の皮膚１０００とが接触する面（窓部６８）とを光学的に接続する第１の光導波路２６１と、受光素子６２と生体の皮膚１０００とが接触する面（窓部６８）とを光学的に接続する第２の光導波路２６２とが、遮光部材６７を介して配置される。これにより、発光素子６１，６３から生体に照射する照射光と、生体から受光素子６２に受光される反射光とが、遮光部材６７により光学的に遮断されるので、発光素子６１，６３からの照射光を生体に効率よく照射できるとともに、その照射光に基づく生体からの反射光を受光素子６２により効率よく受光することができる。したがって、より正確な脈波検出を実現する脈波センサー部４０５を備えた生体情報測定装置を提供することができる。
【００８９】
また、図７に示す脈波センサー部４０５においては、受光素子６２および第２の光導波路２６２を挟んだ両側に並設された発光素子６１，６３および第１の光導波路２６１は、各々が第２の光導波路２６２からユーザーの生体（皮膚１０００）の内部に向かう延長線上に向かって所定量傾けて配置されている。これにより、発光素子６１，６３からの光が、受光素子６２からユーザーの生体の内部に向かう延長線上に集中して照射されるので、受光素子６２が受光する生体からの反射光が強くなるため、より正確な脈波検出（測定）値を得ることが可能になる。
【００９０】
（実施形態４）
図８は、実施形態４に係る生体情報測定装置の概略構成を示す断面図である。以下、実施形態４に係る生体情報測定装置５０１について、図８を参照して説明する。なお、上記実施形態と同一の構成部位については、同一符号を附し、重複する説明は省略する。
【００９１】
図８において、実施形態４に係る生体情報測定装置５０１は、ケース部１０の第１の脚７Ａ´側の面が曲面を有している。詳細には、第１の脚７Ａ´側の面は、上底６Ａ側から中央に向かって表示部５０側に湾曲し、中央側から下底６Ｂ側に向かって再び生体側（表示部５０側の反対側）に戻るように湾曲するアーチ状の形状を呈している。また、バンド部２０は、ケース部１０の略中央の領域に配置されたセンサー凸部６５を頂部として、その両側（紙面における左右）に第１のバンド２２と第２のバンド２４とが、上記したケース部１０の第１の脚７Ａ´側の面が有する曲面と連続する逆Ｕ字状の形状を呈しており、第１のバンド２２の生体側（第１の脚７Ａ´側）の面とケース部１０の生体側の面、および、第２のバンド２４の生体側の面とケース部１０の生体側の面とが、各々の境界部分２２ａ´，２４ａ´において滑らかに連続している。
【００９２】
本実施形態によれば、ケース部１０の第１の脚７Ａ´側の面、即ち生体側の面が生体（手首）の形状に沿った曲面を有しており、その曲面を有する生体側の面（第１の脚７Ａ´側の面）と、第１のバンド２２および第２のバンド２４の生体側の面とが手首に沿った弧を描くように連続しているので、バンド部２０により生体情報測定装置５０１のケース部１０をユーザーの体に装着したときに、より良好な装着性（フィット感）が得られる。また、ユーザーの生体に対するセンサー凸部６５を含む脈波センサー部５の位置や接触状態が安定するので、より正確な脈波測定結果が得られるという効果がある。
【００９３】
（実施形態５）
次に、本発明の実施形態５について図面を用いて説明する。
上記実施例では、図７に示すような脈波センサー部４０５を例示したが、これに限定されない。本実施例で例示する脈波センサーを適用することもできる。
実施形態５に係る生体情報測定装置（以下では、測定装置という）は、前述の実施形態と同様に、生体情報を測定される生体（例えば人体）に装着され、脈拍（心拍数）等の生体情報を測定する心拍数監視装置である。なお、以下に示す各図においては、各構成要素を図面上で認識され得る程度の大きさとするため、各構成要素の寸法や比率を実際の構成要素とは適宜に異ならせて記載する場合がある。
【００９４】
まず、実施形態５に係る生体情報測定装置としての心拍数監視装置について説明する前に、図９を用いて実施形態５に係る生体情報測定装置としての心拍数監視装置の従来例について説明する。
【００９５】
図９は、心拍数監視装置（図９はユーザーの腕を示す）を持っているユーザーの生理的パラメーターを測定する従来例の生体情報測定装置としての心拍数監視装置１０１０を示す断面図である。心拍数監視装置１０１０は、ユーザーの少なくとも一つの生理的パラメーターとしての心拍数を計測するセンサー１０１２と、センサー１０１２を収納しているケース１０１４を備えている。心拍数監視装置１０１０は、固定部１０１６（例えばバンド）によって、ユーザーの腕１００１に装着される。
【００９６】
このセンサー１０１２は、二つのセンサーエレメントである発光素子１１２１および受光素子１１２２を備え、心拍数を測定するかまたはモニターするための心拍数監視センサーである。しかし、一つ以上の生理的パラメーター（例えば心拍数、血圧、呼気量、皮膚伝導率、皮膚湿度など）を測定するセンサーであってもよい。また、ケース１０１４が、バンドタイプのハウジングを備えている場合は、例えばスポーツにおいて使われる腕時計型の監視装置として用いることができる。なお、ケース１０１４の形は、主にユーザーに関して所望の位置でセンサー１０１２を保持することができればよく、任意に電池、処理ユニット、表示、ユーザー・インターフェイスなどのような更なる要素を収納することができてもよい。
【００９７】
従来例の生体情報測定装置は、ユーザーの心拍数をモニターするための心拍数監視装置１０１０である。そして、センサー１０１２は発光素子１１２１および受光素子１１２２から成る光学センサーである。光学的心拍数モニターの原則は、皮膚に光をあてる光源としての発光素子１１２１（通常ＬＥＤが用いられる）に依存する。皮膚に照射された光は、皮膚下の血管を流れる血液によって一部が吸収されるが、残りの光は反射され皮膚を出る。そして、反射された光は、受光素子１１２２（通常フォトダイオードが用いられる）によって、捕捉される。受光素子１１２２からの受光信号は、血管を流れる血液量に相当する情報を含む信号である。血管を流れる血液量は、心臓の脈動によって変化する。そして、このように、受光素子１１２２上の信号は心臓の拍動に対応して変化する。つまり、受光素子１１２２の信号の変化は、心拍数のパルスに相当するものである。そして、単位時間当たりパルス数を計数することによって（例えば１０秒当たり）、心臓が１分間に打つ数（すなわち心拍数）が得られる。
【００９８】
以下、図１０を用いて実施形態５に係る生体情報測定装置としての心拍数監視装置１０２０について説明する。図１０は、実施形態５に係る生体情報測定装置としての心拍数監視装置を示す斜視図である。
【００９９】
実施形態５に係る生体情報測定装置としての心拍数監視装置１０２０は、少なくとも二つのセンサーエレメントを備えたセンサー１０２２（本例では、三つのセンサーエレメントとして、第１の発光部および第２の発光部としての二つの発光素子１２２１，１２２３と、受光部としての受光素子１２２２とを用いている）を有している。センサーエレメントは、センサー信号を検出する。センサー１０２２は、ユーザーの皮膚に対して発光するための二つのＬＥＤを用いた発光素子１２２１，１２２３から成る光学センサーと、皮膚から反射した光を受信するための少なくとも一つの受光素子１２２２（フォトダイオード）とを備えている。さらに、心拍数監視装置１０２０は、ケースまたはハウジング（図示せず）を有している。ケースまたはハウジングは、図９に示されるケース１０１４と類似、あるいは同一でもよいし、上述の実施形態１，２におけるケース部１０と類似、あるいは同一でもよい。
【０１００】
そして、センサー１０２２は、キャリア（基板）１０２６の一面に担持されている。発光素子１２２１，１２２３から射出された光は、皮膚などに吸収されずに反射され、受光素子１２２２直接到達することができる。心拍数監視装置１０２０において、キャリア１０２６と発光素子１２２１，１２２３の上面１２２１ａ，１２２３ａとの間の距離は、キャリア１０２６と受光素子１２２２の上面１２２２ａとの間の距離より小さい。すなわち、キャリア１０２６と発光素子１２２１，１２２３の上面１２２１ａ，１２２３ａとの間の距離と、キャリア１０２６と受光素子１２２２の上面１２２２ａとの間の距離との差が、Δｈである。そして、受光素子１２２２は、一番上の表層であるその上面１２２２ａから光を受信する。それらの構成によれば、発光素子１２２１，１２２３から射出された光の大部分は皮膚に向かい、反射光は、空気層などの介入なしに直接受光素子１２２２に入射される効果がある。換言すれば、受光素子１２２２が皮膚に密着する構造であるため、受光素子１２２２の上面（受光面）１２２２ａと皮膚との間に隙間が生じにくい構造とすることができ、これにより外光などのノイズ源となる光が上面１２２２ａに入射することを抑制することができる。また、皮膚を通過しない発光素子１２２１，１２２３からの光、例えば発光素子１２２１，１２２３からから直接受光素子１２２２に入射する光は、受光素子１２２２の上面１２２２ａに到達することができない。
【０１０１】
（実施形態６）
次に、図１１を参照して実施形態６に係る生体情報測定装置１０３０について説明する。図１１は、実施形態６に係る生体情報測定装置１０３０を示す正面図である。図１１に示すように、発光素子１２２１，１２２３および受光素子１２２２の電気的接続端子１０３４は、電気的要素の保護のために絶縁性材料（例えばエポキシ樹脂）１０３２で、好ましくは覆われていなければならない。また、絶縁性材料１０３２が発光素子１２２１，１２２３や受光素子１２２２を覆わないように構成することができる。具体的には、発光素子１２２１と受光素子１２２２との間の領域、発光素子１２２３と受光素子１２２２との間の領域を絶縁材料１２２３で埋めるように構成することができる。換言すれば、少なくとも受光素子１２２２の上面１２２２ａ、発光素子の上面１２２１ａ、１２２３ａが絶縁性材料１０３２に覆われないように構成することができる。このように構成することで、皮膚と発光素子１２２１，１２２３との間のエアギャップによる妨害を抑制することができる。さらに、絶縁性材料１０３２が発光素子の上面１２２１ａ、１２２３ａや受光素子の上面１２２２ａを覆うように構成しても良い。このように構成することで、皮膚と接触する受光素子の上面１２２２ａや、発光素子の上面１２２１ａ、１２２３ａを保護することができるので、受光素子の上面１２２２ａや、発光素子の上面１２２１ａ、１２２３ａの損傷を防ぐことができる。この場合、絶縁性材料１０３２は保護膜とみなすこともできる。
【０１０２】
本実施形態６に係る生体情報測定装置１０３０では、一般に可能性がある実施例として、エポキシ樹脂用いた絶縁性材料１０３２を設けている。図１１においては、絶縁性材料１０３２は、発光素子１２２１，１２２３の上面１２２１ａ，１２２３ａを覆うことなく配置され、電気的接続端子１０３４を保護する。発光素子１２２１，１２２３から射出されている光は、矢印にて表される。
【０１０３】
このように、絶縁性材料１０３２の配置は、生体情報測定装置１０３０の正しい機能を妨げない程度の最小限で行うことにより、発光素子１２２１，１２２３および受光素子１２２２の電気的接続端子１０３４を保護することで、この生体情報測定装置１０３０は更に改良されることができる。なお、本実施形態６におけるエポキシを注入する構成に変えて、図１２に示すような実施形態７に係る生体情報測定装置１０４０とすることが好適である。
【０１０４】
（実施形態７）
次に、実施形態７に係る生体情報測定装置１０４０について、図１２を参照して説明する。図１２は、実施形態７に係る生体情報測定装置を示す斜視図である。実施形態７に係る生体情報測定装置１０４０は、作成されたフレーム１０４１，１０４２，１０４３が配置される。フレーム１０４１，１０４２，１０４３は、発光素子１２２１，１２２３および受光素子１２２２の周囲に配置され、フレーム１０４１，１０４２，１０４３と、発光素子１２２１，１２２３および受光素子１２２２との間の隙間１０３６が形成される。
そして、フレーム１０４１，１０４２，１０４３をガイドとして絶縁性材料（図１２では図示されない）が注入され、発光素子１２２１，１２２３および受光素子１２２２の電気的接続端子１０３４を覆う。
【０１０５】
実施形態６に示す例では、発光素子１２２１，１２２３および受光素子１２２２は、個々のフレーム１０４１，１０４２，１０４３によって、囲まれる。なお、他の例としては、すべてのフレーム１０４１，１０４２，１０４３は、互いに結合されてもよく、または、すべてのセンサーエレメントは一体のフレームによって囲まれてもよい。
【０１０６】
生体情報測定装置１０４０の機能に影響を及ぼさないための改善点として、発光素子１２２１，１２２３のまわりのフレーム１０４１，１０４３の上部エッジ１０４１ａ，１０４３ａは、好ましくは発光素子１２２１，１２２３の上面１２２１ａ，１２２３ａより低いことが好ましい。換言すれば、個別のフレーム１０４１，１０４３の上部エッジ１０４１ａ，１０４３ａとキャリア１０２６との距離ｈＦＲ−ＬＥＤは、個別のフレーム１０４１，１０４３で囲まれている発光素子１２２１，１２２３の上面１２２１ａ，１２２３ａとキャリア１０２６との距離ｈＬＥＤと、同じか小さい（ｈＦＲ−ＬＥＤ≦ｈＬＥＤ）。
好ましくは、発光素子１２２１，１２２３の上面１２２１ａ，１２２３ａとキャリア１０２６との距離ｈＦＲ−ＬＥＤと、フレーム１０４１，１０４３の上部エッジ１０４１ａ，１０４３ａとキャリア１０２６との距離ｈＬＥＤとの差は、０．１ｍｍから０．８ｍｍの範囲に設定する。なお、さらに好ましくは、発光素子１２２１，１２２３の上面１２２１ａ，１２２３ａとキャリア１０２６との距離ｈＦＲ−ＬＥＤと、フレーム１０４１，１０４３の上部エッジ１０４１ａ，１０４３ａとキャリア１０２６との距離ｈＬＥＤとの差は、０．２ｍｍから０．５ｍｍの範囲に設定する。
【０１０７】
また、受光素子１２２２のまわりのフレーム（レシーバーフレーム）１０４２の上部エッジ１０４２ａは、好ましくは受光素子１２２２の上面１２２２ａより高いことが好ましい。換言すれば、フレーム１０４２の上部エッジ１０４２ａとキャリア１０２６との距離ｈＦＲ−ＰＤは、フレーム１０４２で囲まれている受光素子１２２２の上面１２２２ａとキャリア１０２６との距離ｈＰＤより大きい（ｈＦＲ−ＰＤ＞ｈＰＤ）。
好ましくは、受光素子１２２２の上面１２２２ａとキャリア１０２６との距離ｈＦＲ−ＰＤと、フレーム１０４２の上部エッジ１０４２ａとキャリア１０２６との距離ｈＦＲ−ＰＤの差は、０ｍｍから０．５ｍｍの範囲に設定する。なお、さらに好ましくは、受光素子１２２２の上面１２２２ａとキャリア１０２６との距離ｈＦＲ−ＰＤと、フレーム１０４２の上部エッジ１０４２ａとキャリア１０２６との距離ｈＦＲ−ＰＤの差は、０．１ｍｍから０．２ｍｍの範囲に設定する。
さらに、フレーム１０４２の上部エッジ１０４２ａとキャリア１０２６との距離ｈＦＲ−ＰＤは、発光素子１２２１，１２２３の上面１２２１ａ，１２２３ａとキャリア１０２６との距離ｈＦＲ−ＬＥＤよりも大きい（ｈＦＲ−ＰＤ＞ｈＦＲ−ＬＥＤ）。
【０１０８】
なお、例えば、受光素子１２２２および発光素子１２２１，１２２３が間近である場合、受光素子１２２２と発光素子１２２１，１２２３との間に、１枚のフレーム壁だけが存在する構成であってもよい。これは、製造容易性の理由で発生する場合がある。その１枚のフレーム壁がケースである場合、受光素子１２２２および発光素子１２２１，１２２３で両方のフレームのフレーム壁は一致する。これは、発光素子１２２１，１２２３のフレーム壁がより高くなることを意味する、詳述すると、発光素子１２２１，１２２３を囲むフレーム１０４１，１０４３の内の、受光素子１２２２がある側のフレーム壁が高くなり、他のフレーム壁は発光素子１２２１，１２２３の上面１２２１ａ，１２２３ａより低くなる。
さらに、フレーム１０４１、１０４２、１０４３に代えて、受光素子１２２２と発光素子１２２１、あるいは１２２３との間に第１の壁部を設け、発光素子１２２１、１２２３の外側、つまり受光素子１２２２に対して第１の壁部とは反対側に第２の壁部を設けるように構成しても良い。
このように構成した場合、キャリア１０２６と第１の壁部の上面との距離は、キャリア１０２６と第２の壁部の上面との距離よりも大きくなるように構成しても良い。このように構成することで、図１２のように発光素子や受光素子を囲うように構成した場合に比べ、より少ない部材でフレームの機能を実現することができる。
【０１０９】
なお、本実施形態７のようにフレーム１０４１，１０４３やフレーム１０４２を用いることにより、注入されるエポキシ樹脂などの絶縁性材料が流れ出すことを防ぐことができる。またこのように、追加構造を作成してエポキシ樹脂などの絶縁材料を区切ることは、高い量産性を可能にするオプションである。なお、フレーム１０４１，１０４３やフレーム１０４２は、キャリア１０２６と同じ材料によって構成されても良い。例えばエポキシ系樹脂やポリカーボネイト系樹脂を用いて射出成型でフレームが形成されても良い。
【０１１０】
前述したように、絶縁性材料１０３２（図１０参照）は、センサーエレメント（発光素子１２２１，１２２３および受光素子１２２２）の電気的接続端子１０３４を保護する。しかしながら、これらの電気的接続端子１０３４は他の要素である追加電子機器（例えばドライバー、検出エレクトロニクス、プロセッサーまたは電源）と、さらに接触しなければならない。そして、キャリア１０２６（プリント基板（ＰＣＢ）でもよい）に、これらの追加電子機器とのなんらかの電気接続があることを意味する。
【０１１１】
（実施形態８）
図１３を参照して、実施形態８に係る生体情報測定装置を説明する。図１３は、実施形態８に係る生体情報測定装置を示す断面図である。実施形態８に係る生体情報測定装置１０５０は、前述した追加電子機器（例えばプロセッサー１０５２およびドライバー１０５４）を備えている。外部電気接続端子（図示せず）は、センサーエレメント（発光素子１２２１および受光素子１２２２）と同じキャリア１０２６に配置されない。つまり、追加電子機器は、センサーエレメントとは別のキャリアあるいは基板に配置されている。このように構成することで、皮膚とセンサーエレメント（発光素子１２２１および受光素子１２２２）との良好な接触を維持しつつ、必要な追加電子機器を生体情報測定装置１０５０に搭載することができる。例えば、外部電気接続端子は、キャリア１０２６の側面に配置されることができる。
【０１１２】
上述したように、異なる種類のセンサーが、本発明に係る生体情報測定装置において用いられることが可能である。例えば、上述の受光素子１２２２が電気センサーである場合は、ユーザーの皮膚に接触して、ユーザーの伝導率を測定するための２本の皮膚コンダクタンス電極（例えば、センサーエレメント（図１０に示される発光素子１２２１、受光素子１２２２））は、皮膚でおおわれる。なお、さらなる、二つ以上の種類のセンサーが、この種の生体情報測定装置において、用いられることが可能である、さらに、センサーエレメントの数は問わない。
【０１１３】
次に、実施形態５〜８において、提唱される生理的パラメーターを測定する生体情報測定装置を製造する方法について説明する。
まず、第１ステップにおいて、センサー信号を検出するための少なくとも二つのセンサーエレメント（発光素子１２２１および受光素子１２２２）から成るセンサー１０２２は、キャリア１０２６上に配置される。次に、第２ステップにおいて、前記セサーエレメントの電気的接触をキャリア１０２６に形成する。次に、第３ステップにおいて、一つ以上のフレーム１０４１，１０４２は、センサー１０２２および／または個々のセンサーエレメント（発光素子１２２１および受光素子１２２２）周辺で、キャリア１０２６の上に形成される。そして、第４ステップにおいて、キャリア１０２６に備えられているセンサーエレメント（発光素子１２２１および受光素子１２２２）の上面１２２１ａ，１２２２ａを覆わない、それぞれのフレーム１０４１、１０４２によって囲まれる領域に絶縁性材料１０３２が注入され満たされる。
【０１１４】
上記実施形態５〜８によれば、生体情報測定装置の性能に負の影響を及ぼすことのない電気的接触の保護を成し遂げる方法が提案される。そして、センサーの性能を保つような方法で形成される。例えば、これらのフレーム１０４１，１０４３の少なくとも一つは、皮膚全体のセンサーの位置がシフトすることを防ぐ。さらに、これらのフレーム１０４１，１０４３の少なくとも一つは、射出された直射的な光が受光素子１２２２に入力するのを防止するのに役立つことができる。好ましくは、受光素子１２２２の向きになっている側の、発光素子１２２１，１２２３のまわりのフレーム１０４１，１０４３の高さは、発光素子１２２１，１２２３の上面１２２１ａ，１２２３ａの高さより小さくなければならない。加えて、受光素子１２２２のまわりのフレーム１０４２は、受光素子１２２２の上面１２２２ａより高くてもよい。
【０１１５】
（実施形態９）
上述した実施形態１〜８の生体情報測定機器は、ひずみ計、温度計、体温計、加速度センサー、ジャイロセンサー、圧電センサー、気圧センサー、血圧計、電気化学的センサー、ＧＰＳ（Global Positioning System）、振動計、等の各種センサーを備えていてもよい。これらのセンサーを備えることで、心拍、脈拍、拍動間の変異、ＥＫＧ（ElectroKardiogram：心電図）、ＥＣＧ（Electrocardiogram：心電図）、呼吸数、皮膚温度、体温、体の熱流、電気皮膚反応、ＧＳＲ（Galvanic skin reflex：皮膚電気反射）、ＥＭＧ（Electromyogram：筋電図）、ＥＥＧ（electroencephalogram：脳電図）、ＥＯＧ（Electrooculography：眼球電図）、血圧、体脂肪、水分補給レベル、活動レベル、体動、酸素消費量、グルコース、血糖値、筋肉量、筋肉にかかる圧力、骨にかかる圧力、紫外線吸収、睡眠状態、体調、ストレス状態、体位（例えば、横臥、直立、座位、等）等の、１または１以上の生理学的パラメーターを示すデータに基づいて、個人の生理学的状態に関する情報を導出することができる。また、これらの各種センサーによって得られた値を、例えば、スマートフォン、携帯電話機、フューチャーフォン等の携帯型通信端末やコンピューターやタブレット型コンピューター等の情報処理端末に送信して、携帯型通信端末や情報処理端末にて生理学的パラメーターの演算処理を実行してもよい。
【０１１６】
ユーザーは、生体情報を測定する前に、生体情報測定機器、携帯型通信端末、もしくは情報処理端末にユーザー自身のプロフィールを入力する。これによりユーザーは、そのプロフィールと生体情報測定結果とに基づき、推奨される健康なライフスタイルを確立し維持する可能性を最大にするために、対処が必要となるユーザーの特異な特性情報、環境情報の提供を受けることができる。提供される情報としては、運動種別、運動強度、運動時間、等のような運動情報、食事時間、食事の量、推奨される摂取食材や摂取メニュー、避けるべき摂取食材や摂取メニュー、等のような食事情報、睡眠時間、睡眠の深さ、睡眠の質、起床時間、着床時間、就労時間、ストレス情報、消費カロリー、摂取カロリー、カロリー収支、等のような生活支援情報、基礎代謝、体脂肪量、体脂肪率、筋肉量、等のような身体情報、投薬情報、サプリメント摂取情報、医療情報、等の一つもしくは複数が挙げられる。
【０１１７】
事前に入力するユーザー自身のプロフィールとしては、例えば、年齢、生年月日、性別、趣味、職種、血液型、過去のスポーツ歴、活動レベル、食事、睡眠の規則性、排便習慣の規則性、状況適応性、持続性、応答性、反応の強さ、性質等のユーザーの性格、ユーザーの自主独立レベル、自立形成、自己管理、社交性、記憶力および学問的成就能力、ユーザーの覚醒レベル、認知速度、注意力疎外要因の回避能力、覚醒状態および自己監督能力を含むユーザーの注意力、注意持続能力、体重、身長、血圧、ユーザーの健康状態、医者による診察結果、医者による診察日、医者や健康管理者との接触の有無、現在服用中の薬剤およびサプリメント、アレルギーの有無、アレルギー歴、現在のアレルギー症状、健康に関連する挙動の所見、ユーザーの病気歴、ユーザーの手術歴、家族歴、個人による調整を必要とした離婚または失業のような社会的事象、ユーザーの健康優先度に関する所信、価値観、振舞いを変える能力、生活のストレス原因と考えられる事象、ストレス管理方法、ユーザーの自己意識度、ユーザーの感情移入度、ユーザーの権限委譲度、ユーザーの自尊心、ユーザーの運動、睡眠状態、弛緩状態、毎日の活動の現在のルーチン、ユーザーの生活における重要な人物（例えば、配偶者、友人、同僚または上司）の性格、重要な人物の関係において健康なライフスタイルを阻害するまたはストレスに寄与する衝突が存在するか否かについてのユーザーの受け止め方、等の一つもしくは複数が挙げられる。
【０１１８】
ここで、推奨される健康的なライフスタイルを確立し維持する可能性を最大にするために、対処が必要となるユーザーの特異な特性情報、環境情報の提供を受けることができる実施形態９に係る生体情報測定機器について、図１４〜図２０を用いて説明する。図１４は、実施形態９の生体情報測定機器におけるヘルスマネージャーの起点となるウェブページの概略を示す図である。図１５は、栄養ウェブページの一例を示す図であり、図１６は、活動レベルウェブページの一例を示す図である。また、図１４は、精神集中ウェブページの一例を示す図であり、図１８は、睡眠ウェブページの一例を示す図である。また、図１９は、毎日の活動ウェブページの一例を示す図であり、図２０は、健康度ウェブページの一例を示す図である。
【０１１９】
実施形態９に係る生体情報測定機器は、図示しないが、例えばマイクロプロセッサーに接続されたセンサー装置を備えている。そして、実施形態９に係る生体情報測定機器では、最終的にモニターユニットへ送られて保存される種々の生活活動に関するデータや、モニターユニットにより維持されるウェブサイトからユーザーによって入力される個人データもしくは生活情報が、マイクロプロセッサーによって処理され、生体情報として提供される。以下に、具体的な一例を示し説明する。
【０１２０】
ユーザーは、ウェブページ、アプリケーションソフト、その他の通信媒体を介して、そのユーザーのためのヘルスマネージャーにアクセスする。図１４は、一例として、ヘルスマネージャーの起点となるウェブページ５５０を示す。図１４に示すヘルスマネージャーのウェブページ５５０では、多様なデータをユーザーへ提供する。このようにして提供されるデータは、例えば、（１）種々のセンサー装置が測定した値に基づく種々の生理学的パラメーターを示すデータ、（２）種々の生理学的パラメーターを示すデータから導出されるデータ、（３）センサー装置により発生される種々のコンテキストパラメーターを示すデータおよびユーザーが入力するデータのうちの、１つまたはそれ以上である。
【０１２１】
分析状態データは、（１）センサー装置が取得する種々の生理学的パラメーターを示すデータ、（２）種々の生理学的パラメーターから導出されるデータ、（３）センサー装置が取得する種々のコンテキストパラメーターを示すデータおよびユーザーが入力するデータのうちの１つまたはそれ以上を計算により求める健康度、（４）壮健度およびライフスタイル指数などに変換するために、ある特定のユーティリティーまたはアルゴリズムを利用する点に特徴がある。例えば、摂取した食料に関連してユーザーが入力するデータに基づきカロリー、たんぱく質、脂肪、炭水化物およびある特定のビタミンの量のようなものを計算することができる。また、別の例として、皮膚温度、心拍数、呼吸数、熱流および／またはＧＳＲを用いることにより、所望の時間にわたるストレスレベルの指数をユーザーに提供することができる。さらに別の例として、皮膚温度、熱流、拍動間変異、心拍数、脈拍、呼吸数、中心部体温、電気皮膚反応、ＥＭＧ、ＥＥＧ、ＥＯＧ、血圧、酸素消費量、周囲の音および加速度計のような装置で検出される体の動きを用いることにより、所望の時間にわたる睡眠パターンの指数をユーザーに提供することができる。
【０１２２】
図１４に示すウェブページ５５０には、健康度としての健康指標５５５が表示されている。この健康指標５５５は、ユーザーの成績および推奨される健康な日課を達成した度合いを測定し、それらをメンバーユーザーにフィードバックするためのグラフィックなユーティリティーである。このように、健康指標５５５は、メンバーユーザーに対して彼らの健康状態や健康維持に関する行動の進捗状況を示す。健康指標５５５は、ユーザーの健康およびライフスタイルに関する６つのカテゴリー、即ち、栄養、活動レベル、精神集中、睡眠、毎日の活動、および元気度（総合的な所感）を含む。「栄養」のカテゴリーは、その人（ユーザー）が何を、いつ、そしてどのくらい食べて飲んだかの情報に関する。「活動レベル」のカテゴリーは、その人がどのくらい動き回るかの運動量に関する。「精神集中」のカテゴリーは、その人（ユーザー）の精神が高度に集中した状態で弛緩状態となるための活動の質（能力）、およびその人がその活動に集中する時間に関する。「睡眠」のカテゴリーは、その人（ユーザー）の睡眠の質、および量に関する。「毎日の活動」のカテゴリーは、その人（ユーザー）が毎日行わなければならないこと、およびその人が遭遇する健康リスクに関する。「元気度（所感）」のカテゴリーは、ある特定の日について気分がよいか否かの一般的な受け止め方に関する。各カテゴリーには、好ましくは、「悪い」から「よい」の間で変化するスケールで、ユーザーがそのカテゴリーに関してどのような実績をあげたかを示すレベル表示または棒グラフを備えている。
【０１２３】
各メンバーユーザーが上述した最初の調査を終了すると、ユーザーに対して、自身の特性、および生活環境の要約を提供するプロフィールが作成され、推奨される健康的な日課および／または目標が提示される。推奨される健康的な日課には、適当な栄養、運動、精神集中、およびユーザーの毎日の活動（生活）に関する特定のアドバイス、における任意の組み合わせが含まれる。これら推奨される健康的な日課に係る活動をユーザーの生活に如何に取り込むかのガイドとして、模範的なスケジュールなどを提示してもよい。ユーザーはその調査を定期的に受け、その結果に基づき、上述したような項目をそれに応じて実践する。
【０１２４】
「栄養」のカテゴリーは、ユーザーが入力するデータと、センサー装置が感知するデータとの両方から計算される。ユーザーが入力するデータには、朝食、昼食、夕食、および任意のおやつの時刻や飲食時間と、飲食する食料、ビタミンのようなサプリメントおよび予め選択した時間の間に飲む水や他の液体（飲料水や液体状の食料）とが含まれる。このデータや種々の食料の公知の特性に関する蓄積されたデータに基づき、中央モニターユニットは、消費カロリー、またはたんぱく質、脂肪、炭水化物、ビタミンなどの含有量のような、よく知られた栄養学的な値を計算する。
【０１２５】
「栄養」のカテゴリーにおいては、健康指標５５５の栄養を示す棒グラフに基づいて、推奨される健康的な日課に関して決定することができる。この推奨される健康的な日課は、ユーザーの性別、年齢、身長／体重のような情報に基づき調整することができる。なお、毎日摂取するカロリーやたんぱく質、繊維、脂肪、炭水化物などの栄養素や水の量、および全体の摂取量に対する割合に関するある特定の栄養の目標を、ユーザー、またはユーザーに代わって代理者が設定することができる。棒グラフの計算に用いるパラメーターには、１日の食事回数、水の消費量、毎日食べる食物の種類、および量をユーザーが入力したものが含まれる。
【０１２６】
栄養学的情報は、図１５に示すような栄養ウェブページ５６０によりユーザーに提示される。栄養ウェブページ５６０は、栄養の実際および目標となる数値をそれぞれ円グラフで示す栄養数値チャート５６５，５７０と、実際の栄養摂取総量および目標となる栄養摂取総量をそれぞれ示す栄養摂取チャート５７５，５８０を含むことが好ましい。栄養数値チャート５６５，５７０は、炭水化物、たんぱく質および脂肪のような項目を百分比で示すのが好ましく、栄養摂取チャート５７５，５８０は、カロリーの合計値および目標値を、脂肪、炭水化物、たんぱく質およびビタミンのような成分で分けて示すのが好ましい。ウェブページ５６０は、食物および水を消費した時間を示す履歴５８５、ユーザーが栄養に関連するニュース記事、栄養に関する日課を改善するためのアドバイス、およびネットワーク上のどこかの関連の広告を直接チェックできるようにするハイパーリンク５９０、および適用期間などを選択可能なカレンダー５９５も含む。ハイパーリンク５９０で示す項目は、調査により個人について知り得た情報、および健康指標により測定された個人の成績に基づいて選択することができる。
【０１２７】
健康指標５５５の「活動レベル」のカテゴリーは、その日にユーザーが、いつ、どのように活動したか（動いたか）などに関するユーザーのチェックを、支援するように設計されており、ユーザーが入力するデータと、センサー装置が感知するデータとの両方を利用する。ユーザーが入力するデータには、例えば、ユーザーが午前８時から午後５時まで机に向かって仕事をした後、午後６時から午後７時までエアロビクス講習を受けるというようなユーザーの毎日の活動に関する詳細事項が含まれる。センサー装置により感知される関連のデータには、心拍数、加速度計のような装置により感知される運動、熱流、呼吸数、消費カロリー量、ＧＳＲ、および水分補給レベルが含まれ、これらはセンサー装置または中央モニターユニットにより取り出すことができる。消費カロリー量は、ユーザーが入力する運動の種類とユーザーが入力する運動の持続時間との掛け算、感知する運動と運動の時間およびフィルター定数との掛け算、または感知される熱流と時間とフィルター定数との掛け算のような種々の方法で計算することができる。
【０１２８】
「活動レベル」のカテゴリーでは、健康指標５５５の活動レベルを示す棒グラフに基づいて、推奨される健康的な日課に関して決定することができる。この推奨される健康的な日課は、活動において消費される最小目標カロリーなどである。なお、最小目標カロリーは、ユーザーの性別、年齢、身長、体重のような情報に基づき設定可能である。棒グラフの計算に用いるパラメーターには、各種の運動または精力的なライフスタイル活動に費やす時間であって、ユーザーが入力したものおよび／またはセンサー装置が感知したものや予め計算したエネルギー消費パラメーター以上に燃焼したカロリー数が含まれる。
【０１２９】
個人ユーザーの活動（動き）に関する情報は、図１６に示す活動レベルウェブページ６００によりユーザーに提示される。この活動レベルウェブページ６００は、ユーザーの活動を３つのカテゴリー、即ち、所定の単位時間に関して「高」、「中」、「低」でモニターする棒グラフの形をした活動度グラフ６０５を含む。円グラフの形の活動百分比チャート６１０は、ユーザーが各カテゴリーで費やした、例えば１日のような所定の期間の百分比を示すために提示することができる。また、活動レベルウェブページ６００は、燃焼カロリー総量、毎日の燃焼カロリー目標値、カロリー摂取合計値、およびエアロビクス運動時間のような項目を表示するためのカロリー表示（図示せず）を設けることもできる。活動レベルウェブページ６００は、ユーザーが、関連のニュース記事、活動レベルに関する日課を改善するためのアドバイス、およびネットワーク上の関連広告を直接チェックできるようにするため、少なくとも１つのハイパーリンク６２０を含む。
【０１３０】
活動レベルウェブページ６００は種々のフォーマットで見ることができるが、棒グラフ、円グラフ、およびその両方のようなグラフまたはチャートをユーザーが選択可能とすることができ、活動レベルチェックボックス６２５により選択可能である。活動レベルカレンダー６３０は、適用期間などを選択できるようにするために提供される。ハイパーリンク６２０に示す項目は、調査によりその個人から抽出した情報および健康指標により測定される成績に基づき選択することができる。
【０１３１】
健康指標５５５の「精神集中」のカテゴリーは、ユーザーが、精神を集中しながら深い弛緩状態に体が到達できるようにする活動を行う時間に関するパラメーターを、モニターすることを支援するように設計されており、ユーザーが入力するデータとセンサー装置が感知するデータとの両方に基づくものである。詳説すると、ユーザーはヨガまたは瞑想のような弛緩活動の開始時間および終了時間を入力することができる。精神集中の深さにより決まるこれらの活動の品質は、センサー装置により感知される皮膚温度、心拍数、呼吸数および熱流を含むパラメーターをモニターすることにより測定可能である。センサー装置または中央モニターユニットの何れかにより得られるＧＳＲの百分比変化を利用することもできる。
【０１３２】
「精神集中」のカテゴリーにおいては、健康指標５５５の精神集中の活動レベルを示す棒グラフに基づいて、推奨される健康的な日課に関して決定することができる。この推奨される健康的な日課は、精神を高度に集中した状態にしながら体を深く弛緩させる活動への毎日の参加が含まれて表示される。この棒グラフの計算に使用するパラメーターには、精神集中活動に費やす時間の長さ、および精神集中活動の深さ、または品質を示すベースラインからの、センサー装置により感知される皮膚温度、心拍数、呼吸数、熱流またはＧＳＲの百分比変化が含まれる。
【０１３３】
深く自己を顧みる行動（内省）、および体を深く弛緩させるなどの精神集中活動のために費やす時間に関する情報は、図１７に示す精神集中ウェブページ６５０によりユーザーに提示される。なお、精神集中活動は、セッションと呼ばれることがある。精神集中ウェブページ６５０は、セッションに費やした時間６５５、目標時間６６０、精神集中の深さの目標値および実際の値を示す比較部分６６５、皮膚温度、心拍数、呼吸数、熱流および／またはＧＳＲのようなものから導出される全体的なストレスレベルを示すヒストグラム６７０を含む。
【０１３４】
比較部分６６５では、目標となる精神集中状態を示す人間の輪郭は実線で示され、実際の精神集中状態を示す人間の輪郭は、精神集中のレベルに応じてぼやけた状態（図１７では破線で表す）と実線の間で変化する。また、好ましい精神集中ウェブページ６５０は、ユーザーが関連のニュース記事、精神集中に関する日課の改善に関するアドバイス、およびネットワーク上の関連広告を直接チェックできるようにするハイパーリンク６８０、精神集中に関する日課の改善に関するアドバイスおよび関連の広告と、適用期間を選択可能にするカレンダー６８５とを含む。ハイパーリンク６８０で示す項目は、調査により個人から知り得た情報および健康指標により測定される成績に基づき選択することができる。
【０１３５】
健康指標５５５の「睡眠」のカテゴリーは、ユーザーが睡眠パターンおよび睡眠の質をモニターすることを支援できるように設計されている。このカテゴリーは、ユーザーが健康なライフスタイルにおける睡眠の重要性と、体の機能の毎日の通常の変化である日周期に対する睡眠の関係と、についての学習を助けるように意図されている。「睡眠」のカテゴリーは、ユーザーが入力するデータとセンサー装置が感知するデータとの両方に基づくものである。関連の各時間インターバルの間にユーザーが入力するデータには、ユーザーの入眠時刻と起床時刻（睡眠時間）および睡眠の質のランクが含まれる。センサー装置から得られる関連性のあるデータには、皮膚温度（体温）、熱流、拍動間変異、心拍数、脈拍数、呼吸数、中心部体温、電気皮膚反応、ＥＭＧ、ＥＥＧ、ＥＯＧ、血圧および酸素消費量が含まれる。また、周囲の音および加速度計のような装置により検知される体の動きも関連性を有する。その後、このデータを用いて、入眠時刻および起床時刻、睡眠中断および睡眠の質、および睡眠の深さなどについて計算し導出することができる。
【０１３６】
健康指標５５５の睡眠を示す棒グラフは、毎晩の好ましい最小睡眠時間の確保、予測可能な就寝時刻、および起床時刻を含む健康な日課について表示される。この棒グラフの計算を可能にする特定のパラメーターには、センサー装置により感知されるかユーザーが入力する毎日の睡眠時刻および起床時刻と、ユーザーが等級をつけるかまたは他のデータから導出される睡眠の質が含まれる。
【０１３７】
睡眠に関する情報は、図１８に示す睡眠ウェブページ６９０によりユーザーに提示される。睡眠ウェブページ６９０は、センサー装置からのデータまたはユーザーが入力するデータの何れかに基づく睡眠時間表示６９５と、ユーザーの就寝時刻表示７００、および起床時刻表示７０５を含む。なお、ユーザーにより入力される睡眠の質について、睡眠の質ランク７１０を利用し表示することも可能である。また、１日の時間インターバルを超える表示を睡眠ウェブページ６９０において行う場合、睡眠時間表示６９５は累計値として表示し、就寝時刻表示７００、起床時刻表示７０５、および睡眠の質ランク７１０は平均値として計算し、表示することができる。また、睡眠ウェブページ６９０は、所定の時間インターバルにわたって１つの睡眠関連パラメーターを計算し表示するユーザーにより選択可能な睡眠グラフ７１５も含む。図１８は、１日にわたる熱流（体温）の変化を示すが、この熱流は、睡眠中は低く、起きている時は高くなる傾向がある。この情報から、その人のバイオリズムを得ることが可能である。
【０１３８】
また、睡眠グラフ７１５は、体の動きをモニターするセンサー装置に組み込んだ加速度計からのデータをグラフ表示する。また、睡眠ウェブページ６９０は、ユーザーが睡眠に関連するニュース記事、睡眠に関する日課を改善するためのアドバイス、およびネットワーク上にある関連の広告を直接チェックできるようにするハイパーリンク７２０と、関連の時間インターバルを選択するための睡眠カレンダー７２５とを含むことができる。ハイパーリンク７２０で示す項目は、調査において個人から知り得た情報、および健康指標により測定される成績に基づき特別に選択することができる。
【０１３９】
健康指標５５５の「毎日の活動」のカテゴリーは、健康や安全に関連するある特定の活動、およびリスクをユーザーがモニターすることを支援できるように設計されており、すべてユーザーにより入力されるデータに基づくものである。毎日の生活の活動に関する「毎日の活動」のカテゴリーは、下位概念の４つのカテゴリーが挙げられる。具体的には、（１）歯ブラシまたはフロスを用いる歯の手入れやシャワーを浴びるような活動をユーザーがモニターするのを可能にする個人的衛生に係る項目、（２）ユーザーが処方箋通りの薬またはサプリメントを飲んでいるか否かを追跡し、煙草またはアルコールの消費量などをユーザーがモニターするのを可能にする健康維持に係る項目、（３）家族または友人と共に過ごす時間やレジャーおよび精神集中活動をユーザーがモニターするのを可能にする個人的時間に係る項目、（４）家庭の雑用のような仕事および家計活動をユーザーがモニターするのを可能にする責任に係る項目、に分けられる。
【０１４０】
「毎日の活動」のカテゴリーにおいて、健康指標５５５の「毎日の活動」を示す棒グラフは、以下に述べる推奨される健康的な日課について表示することが好ましい。個人の衛生に関する日課の一例としては、ユーザーが毎日シャワーを浴びるか入浴し、毎日ブラシとフロスを用いて歯を清潔に保ち、規則的な便通を維持することが望ましい。また、健康維持に関する日課の一例としては、ユーザーが薬、ビタミン剤および／またはサプリメントを飲み、禁煙し、節酒し、健康マネージャーにより毎日、健康をモニターすることが望ましい。個人的時間に関する日課の一例としては、ユーザーが毎日少なくとも所定時間は家族と過ごす時間を創出し、および／または友人と良質な時間を過ごし、仕事を行う時間を減らし、レジャーまたは遊びの時間を取り入れ、頭を使う活動を行うことが望ましい。責任に関する日課の一例としては、ユーザーが家の雑事を行い、仕事に遅れず、約束を守ることが望ましい。棒グラフは、ユーザーが入力する情報により決定される、および／またはユーザーが毎日リストアップされた活動を完了する度合いに基づき計算される。
【０１４１】
これらの活動に関する情報は、図１９に示す毎日の活動ウェブページ７３０によりユーザーに提示される。毎日の活動ウェブページ７３０における活動チャート７３５は、ユーザーがその日課により必要とされることを実行したか否かを示す。活動チャート７３５は、下位概念のうちの１つまたはそれ以上について選択可能である。活動チャート７３５では、色または影がついたボックスは、必要とされる活動をユーザーが実行したことを示し、色または影のないボックスは、その活動をユーザーが実行していないことを示している。活動チャート７３５は、選択可能な時間インターバルにおいて作成し、見ることが可能である。図１９は、特定の週における個人的衛生および個人的時間のカテゴリーを一例として示している。さらに、毎日の活動ウェブページ７３０は、ユーザーが関連のあるニュース記事、毎日の生活の活動に関する日課を改善するためのアドバイス、およびネットワーク上の関連の広告を直接チェックできるようにするハイパーリンク７４０と、関連の時間インターバルを選択するための毎日の活動のカレンダー７４５とを含むことができる。ハイパーリンク７４０に示す項目は、調査において個人から知り得た情報、および健康指標により決定される成績に基づき選択することができる。
【０１４２】
健康指標５５５の「元気度」のカテゴリーは、特定の日に元気であったか否かの認識をユーザーがモニターするのを可能にするように設計され、ユーザーが直接入力する本質的に主観的な等級情報に基づくものである。ユーザーは、以下の９つの領域、即ち、（１）精神的鋭敏さ、（２）精神的および心理的幸福度、（３）エネルギーレベル、（４）人生のストレスへの対処能力、（５）対面を重んじる度合い、（６）物理的幸福度、（７）自己抑制、（８）動機、（９）他人との関係による慰め、に関して、好ましくは１から５までのスケールを用いてランク付けを行う。これらの度合い（等級）を平均して、健康指標５５５の棒グラフの計算に使用する。
【０１４３】
図２０は、元気度のウェブページ７５０を示す。元気度のウェブページ７５０は、連続または不連続の任意の日にちを含む、ユーザーが選択可能な時間インターバルにわたる元気度を、ユーザーがチェックできるようにする。なお、図２０で示す例では、元気度を健康指数として表示している。元気度のウェブページ７５０では、元気度の選択ボックス７６０を用いることにより、ユーザーは、１つのカテゴリーについて元気度の棒グラフ７５５をチェックする選択を行うか、または２つのカテゴリー、またはそれ以上のカテゴリーについて元気度の棒グラフ７５５を並べて比較することができる。例えば、ユーザーは、前月と比べて総合的な睡眠の等級が改善されたか否かをチェックするために、睡眠の棒グラフだけを作動状態にしたい場合があるあるいは、睡眠と活動レベルとを同時に表示することにより、睡眠の等級とそれに対応する活動レベルの等級とを比較評価して、それぞれの日にちの間に何らかの相関関係が存在するか否かをチェックする場合がある。所定の時間インターバルについて栄養の等級と元気度の等級とを表示して、毎日の食事習慣とそのインターバルの間の食事習慣と元気度との間に何らかの相関関係が存在するか否かをチェックする場合がある。図２０は、説明のための一例として、６月８日から６月１４日の週の睡眠と活動レベルの棒グラフによる比較を示す。また、元気度のウェブページ７５０は、ユーザーがログインしてヘルスマネージャーを利用した日数の合計、ユーザーが入会以来ヘルスマネージャーを利用した日にちの割合、およびユーザーがデータを収集するためにセンサー装置を利用した時間の割合のようなアクセス情報、および統計を表示する追跡計算器７６５も含む。
【０１４４】
図１４に示すヘルスマネージャーの起点となるウェブページ５５０の一例は、それぞれが健康度としての健康指標５５５のカテゴリーに対応するユーザーにより選択可能な複数のカテゴリーの要約５５６ａないし５５６ｆを含む。各カテゴリーの要約５５６ａないし５５６ｆは、対応するカテゴリーに関して予め選択しフィルターをかけたデータの副集合を提示する。栄養カテゴリーの要約５５６ａは、カロリー摂取量の毎日の目標値と実際値とを示す。活動レベルカテゴリーの要約５５６ｂは、燃焼カロリー量の毎日の目標値と実際値とを示す。精神集中の要約５５６ｃは、精神集中の深さの目標値および実際値を示す。睡眠カテゴリーの要約５５６ｄは、目標の睡眠時間、実際の睡眠時間、および睡眠の質の等級を示す。毎日の活動カテゴリーの要約５５６ｅは、推奨される健康的な日課（毎日の活動）に対する完了した活動の割合に基づく目標点数および実際点数を表示する。元気度のカテゴリーの要約５５６ｆは、その日の健康度の目標および実際の等級を示す。
【０１４５】
また、ウェブページ５５０は、ニュース記事へのハイパーリンク（不図示）、最初の調査によりチェックされる栄養不良のような傾向に基づくユーザーへのコメント（不図示）、および合図（不図示）を含むこともできる。情報を毎日ユーザーに提供する毎日の日課部分５５７を含むこともできる。毎日の日課部分５５７のコメントとしては、例えば、毎日必要となる水の摂取量や、それを可能とする具体的手段のアドバイスなどを表示することができる。また、ウェブページ５５０は、健康指標５５５の各カテゴリーにおけるユーザーの成績を積極的に評価して改善のためのアドバイスを提示する問題解決セクション５５８を含むことができる。例えば、システムによりユーザーの睡眠レベルが「低」で、ユーザーが不眠症であることを示唆する場合、問題解決セクション５５８は睡眠を改善するための方法をアドバイスすることができる。また、問題解決セクション５５８は、成績の改善に関するユーザーの質問を含むことができる。また、ウェブページ５５０は、入力ダイアログボックスを立ち上げる毎日のデータセクション５５９を含むことができる。入力ダイアログボックスにより、ユーザーはヘルスマネージャーにより必要とされる種々のデータの入力を容易に行うことができる。当該技術分野において知られているように、データの入力は予め提示されたリストまたは普通の自由テキスト形式の入力かの選択が可能である。また、ウェブページ５５０は、ユーザーの身長、体重、体の測定値、ＢＭＩ、および心拍数、血圧または任意の生理学的パラメーターのような生命兆候に関する情報を与える体の状態セクション５６１を含むことができる。
【０１４６】
以上、発明者によってなされた本発明の実施の形態について具体的に説明したが、本発明は上記した実施の形態に限定されるものではなく、その要旨を逸脱しない範囲で種々の変更を加えることが可能である。
【０１４７】
例えば、上記実施形態及び変形例では、ユーザーの手首に装着する腕時計のようなリスト機器（リスタブル機器）タイプの生体情報測定装置１，２０１Ａ，２０１Ｂ，２０１Ｃ，３０１，４０１，５０１について説明した。これに限らず、生体情報測定装置は、手首より体幹側の上肢のいずれかの部位や、足首を含む下肢のいずれかの部位、あるいは、首などに装着するタイプであってもよい。
【０１４８】
また、上記実施形態および変形例では、検出部として脈波センサー（脈波センサー部５）、加速度センサー１３１、角速度センサー１３２、気圧センサー１４０、温度センサー１６０、およびＧＰＳユニット１７０が搭載された生体情報測定装置について説明したが、これに限定されない。例えば、心拍数、血圧、呼気量、皮膚伝導率、皮膚湿度などの生理的パラメーターを測定するセンサー（検出部）を搭載したものであってもよい。
【符号の説明】
【０１４９】
１，２０１Ａ，２０１Ｂ，２０１Ｃ，３０１，４０１，５０１…生体情報測定装置（測定装置）、５，３０５，４０５…脈波センサー部、６Ａ…上底、６Ｂ…下底、７Ａ，７Ａ´…第１の脚、７Ｂ…第２の脚、１０…ケース部、１０Ｇ…（ケース部の）重心、２０…バンド部、２２…第１のバンド、２２ａ，２４ａ，２２ａ´，２４ａ´…境界部分、２４…第２のバンド、３０…接続部としてのバックル部、５０…表示部、６１，６３…光源としての発光素子、６２…受光素子、６５，３６５…センサー凸部、６７…遮光部材、６８…窓部、７０…メイン回路基板、７５…センサー用回路基板、８０…ＦＰＣ（フレキシブル基板）、８５，８５´…中継基板、１１０…振動モーター、１２０…電池、１２０Ｇ…電池の重心、１２１…第２の電池、１３０…慣性センサー部、１３１…加速度センサー、１３２…角速度センサー、１４０…気圧センサー、１４５…穴部、１５０…充電端子部、１６０…温度センサー、１７０…ＧＰＳユニット、１７５…第１のアンテナとしてのＧＰＳアンテナ、１８０…通信部、１８５…第２のアンテナ、１９０…検出部、２００…制御部、２６１…第１の光導波路、２６２…第２の光導波路、２６５…光透過部材、１０００…皮膚、１００２…血管、１０１０，１０２０，１０３０，１０４０，１０５０…生体情報測定装置としての心拍数監視装置、１１２１，１２２１，１２２３…発光素子、１１２２，１２２２…受光素子。
【図１】
2016131733.tif 000003
【図２】
2016131733.tif 000004
【図３】
2016131733.tif 000005
【図４】
2016131733.tif 000006
【図５】
2016131733.tif 000007
【図６】
2016131733.tif 000008
【図７】
2016131733.tif 000009
【図８】
2016131733.tif 000010
【図９】
2016131733.tif 000011
【図１０】
2016131733.tif 000012
【図１１】
2016131733.tif 000013
【図１２】
2016131733.tif 000014
【図１３】
2016131733.tif 000015
【図１４】
2016131733.tif 000016
【図１５】
2016131733.tif 000017
【図１６】
2016131733.tif 000018
【図１７】
2016131733.tif 000019
【図１８】
2016131733.tif 000020
【図１９】
2016131733.tif 000021
【図２０】
2016131733.tif 000022